(57)【特許請求の範囲】
【請求項１】
アプリケーションサーバＡＳがホーム加入者サーバＨＳＳに問い合せ要求メッセージを送信するステップと、
前記ＨＳＳがパケット交換ＰＳドメイン移動性管理ネットワークコンポーネントに問い合せして着信側端末及び/又は着信側端末がアクセスしたネットワークの情報を取得するステップと、
前記ＨＳＳが取得した前記着信側端末及び/又は着信側端末がアクセスしたネットワークの情報を前記ＡＳにフィードバックするステップと、
前記ＡＳが前記着信側端末及び/又は着信側端末がアクセスしたネットワークの情報に基づいて呼び出しメッセージがルーティングされるドメインを選択するステップと、を含み、
前記着信側端末がアクセスしたネットワークの情報が、前記着信側端末が現在登録しているネットワーク領域のＩＭＳ ＶＯＩＰ能力を含み、
前記着信側端末の情報が、前記着信側端末の登録時間と、前記着信側端末が最後にネットワークとインタラクションを行った時間と、前記着信側端末の最後のアクセスに利用された無線アクセス技術ＲＡＴと、アイドル状態のシグナリング低減ＩＳＲをアクティブ化したか否か、前記着信側端末が現在接続状態であるか否かの状態情報と、前記着信側端末が最後に２Ｇ/３Ｇの同一ルーティング・エリアにアクセスする際に利用したＲＡＴの中の少なくとも1つを含み、
前記着信側端末がアクセスしたネットワークの情報が、さらに、前記着信側端末が現在登録しているルーティング・エリアの２Ｇ/３Ｇの同一ルーティング・エリアの指示を含むことを特徴とする着信呼時のドメイン選択方法。
【請求項２】
前記ＰＳドメイン移動性管理ネットワークコンポーネントが移動性管理エンティティＭＭＥ及び/又はサービングＧＰＲＳ支援ノードＳＧＳＮを含み、
前記ＨＳＳがＰＳドメイン移動性管理ネットワークコンポーネントに問い合せして着信側端末及び/又は着信側端末がアクセスしたネットワークの情報を取得するステップが、
前記ＨＳＳが前記問い合せ要求メッセージを受信するステップと、
前記ＨＳＳが自分に記録された前記着信側端末のＭＭＥの情報及び/又はＳＧＳＮの情報に基づいて、前記ＭＭＥ及び/又は前記ＳＧＳＮに問い合せ要求メッセージを送信するステップと、
前記ＭＭＥが前記問い合せ要求メッセージを受信した場合、前記ＭＭＥが前記ＨＳＳに前記着信側端末及び/又は着信側端末がアクセスしたネットワークの情報を返信するステップと、
前記ＳＧＳＮが前記問い合せ要求メッセージを受信した場合、前記ＳＧＳＮが前記ＨＳＳに前記着信側端末及び/又は着信側端末がアクセスしたネットワークの情報を返信するステップと、を含むことを特徴とする請求項１に記載の方法。
【請求項３】
前記ＨＳＳが取得した前記着信側端末及び/又は着信側端末がアクセスしたネットワークの情報を前記ＡＳにフィードバックするステップが、
前記ＨＳＳが前記ＭＭＥと前記ＳＧＳＮから送信された前記着信側端末及び/又は着信側端末がアクセスしたネットワークの情報を受信するステップと、
前記ＨＳＳが前記ＭＭＥと前記ＳＧＳＮから送信された前記着信側端末及び/又は着信側端末がアクセスしたネットワークの情報を受信し、前記着信側端末が最後にアクセス及び/又は更新したＭＭＥ又はＳＧＳＮが送信した前記情報又は前記情報の組み合わせを受信するステップと、
前記ＨＳＳが前記ＡＳに前記情報又は前記情報の組み合わせをフィードバックするステップと、を含むことを特徴する請求項１又は２に記載の方法。
【請求項４】
前記ＭＭＥと前記ＳＧＳＮとが独立したネットワークコンポーネントであるか、又は組み合わせのコンボノードであって、その中、前記コンボノードが組み合わせのＭＭＥ/ＳＧＳＮであることを特徴とする請求項２に記載の方法。
【請求項５】
前記コンボノードが前記ＨＳＳの前記問合わせ要求メッセージを受信し、ＵＥが現在該コンボノードにてトラッキング・エリアＴＡとルーティング・エリアＲＡの登録を行っている場合、前記コンボノードは応答メッセージを介して前記ＨＳＳに前記着信側端末及び/又は着信側端末がアクセスしたネットワークの情報を返信することを特徴とする請求項４に記載の方法。
【請求項６】
前記ＡＳが前記着信側端末及び/又は着信側端末がアクセスしたネットワークの情報に基づいて、呼び出しメッセージがルーティングされるドメインを選択するステップが、
前記ＡＳが、前記端末は前記ＭＭＥにて接続状態であって、前記端末が現在アクセスしているネットワーク領域はＩＭＳ ＶＯＩＰを支援することを把握した場合、前記ＡＳは端末が現在アクセスしているドメインを選択して着信呼を行い、又は、
前記ＡＳが、前記端末はＳＧＳＮにて接続状態であって、前記端末が現在アクセスしているネットワーク領域とＲＡＴがＩＭＳ ＶＯＩＰを支援することを把握した場合、前記ＡＳは前記端末が現在アクセスしているドメインを選択して着信呼を行うことを含むことを特徴とする請求項１に記載の方法。
【請求項７】
前記ＡＳが、前記着信側端末及び/又は着信側端末がアクセスしたネットワークの情報に基づいて呼び出しメッセージがルーティングされるドメインを選択するステップが、
前記ＡＳが、前記端末はアイドル状態であって、ＩＳＲがアクティブにされていて、前記端末が現在登録している進化型のパケットドメインシステムＥＰＳネットワーク領域はＩＭＳ ＶＯＩＰを支援するが２Ｇ/３Ｇネットワーク領域はＩＭＳ ＶＯＩＰを支援しないことを把握した場合、前記ＡＳはＰＳアクセス方式と２Ｇ/３Ｇの回線交換ＣＳ方式を介して並列して着信呼を行うことを含むことを特徴とする請求項１に記載の方法。
【請求項８】
前記ＡＳが前記着信側端末及び/又は着信側端末がアクセスしたネットワークの情報に基づいて呼び出しメッセージがルーティングされるドメインを選択するステップが、
前記ＡＳが、ＩＳＲはアクティブにされず、前記着信側端末が最後に登録したネットワーク領域はトラッキングエリアであって、前記トラッキング・エリアはＩＭＳ ＶＯＩＰを支援することを把握した場合、前記ＡＳはＥＰＳを介してルーティングし、又は、
前記ＡＳが、ＩＳＲがアクティブにされず、前記着信側端末が最後に登録したネットワーク領域はトラッキング・エリアであって、前記トラッキング・エリアはＩＭＳ ＶＯＩＰを支援しないことを把握した場合、前記ＡＳはＥＰＳ又は２Ｇ/３ＧのＣＳドメイン、又はＥＰＳと２Ｇ/３ＧのＣＳドメインを介して同時にルーティングを行い、又は、
前記ＡＳが、ＩＳＲがアクティブにされず、前記着信側端末が最後に登録したネットワーク領域はルーティング・エリアであって、前記ルーティング・エリアは２Ｇ/３Ｇの同一ルーティング・エリアではなく、前記ルーティング・エリアはＩＭＳ ＶＯＩＰを支援することを把握した場合、前記ＡＳは２Ｇ/３ＧのＰＳドメインを介してルーティングし、又は、
前記ＡＳが、ＩＳＲはアクティブにされず、前記着信側端末が最後に登録したネットワーク領域はルーティング・エリアであって、前記ルーティング・エリアは２Ｇ/３Ｇの同一のルーティング・エリアではなく、前記ルーティング・エリアはＩＭＳ ＶＯＩＰを支援しないことを把握した場合、前記ＡＳは２Ｇ/３ＧのＣＳドメインを介してルーティングし、又は、
前記ＡＳが、ＩＳＲはアクティブにされず、前記着信側端末が最後に登録したネットワーク領域はルーティング・エリアであって、前記ルーティング・エリアは２Ｇ/３Ｇの同一ルーティング・エリアであって、前記ルーティング・エリアがＩＭＳ ＶＯＩＰを支援することを把握した場合、前記ＡＳは２Ｇ/３ＧのＰＳドメイン又は２Ｇ/３ＧのＣＳドメインを介し、又は２Ｇ/３ＧのＰＳドメインとＣＳドメインとを介して同時にルーティングし、又は、
前記ＡＳが、ＩＳＲがアクティブにされず、前記着信側端末が最後に登録したネットワーク領域はルーティング・エリアであって、前記ルーティング・エリアは２Ｇ/３Ｇの同一のルーティング・エリアであり、前記ルーティング・エリアはＩＭＳ ＶＯＩＰを支援しないことを把握した場合、前記ＡＳは２Ｇ/３ＧのＣＳドメインを介してルーティングし、又は、
前記ＡＳが、ＩＳＲは既にアクティブにされ、前記着信側端末が現在登録しているネットワーク領域は全てＩＭＳ ＶＯＩＰを支援し、前記着信側端末が現在登録しているルーティング・エリアは２Ｇ/３Ｇの同一ルーティング・エリアではないことを把握した場合、前記ＡＳはＰＳドメインを介してルーティングし、又は、
前記ＡＳが、ＩＳＲは既にアクティブにされ、前記着信側端末が現在登録しているネットワーク領域は全てＩＭＳ ＶＯＩＰを支援し、前記着信側端末が現在登録しているルーティング・エリアは２Ｇ/３Ｇの同一ルーティング・エリアであることを把握した場合、前記ＡＳはＰＳドメインを介し、又はＰＳドメインとＣＳドメインとを介して同時にルーティングし、又は、
前記ＡＳが、ＩＳＲは既にアクティブにされ、前記着信側端末が現在登録しているネットワーク領域はＩＭＳ ＶＯＩＰを支援し、前記着信側端末が現在登録しているルーティング・エリアは２Ｇ/３Ｇの同一ルーティング・エリアであることを把握した場合、前記ＡＳは前記着信側端末の状態情報を更に判定するが、前記着信側端末が前記ＭＭＥにて接続状態である場合、前記ＡＳはＰＳドメインを選択してルーティングし、前記着信側端末が前記ＳＧＳＮにて接続状態であって、現在利用しているＲＡＴが２Ｇである場合、前記ＡＳはＣＳドメインを選択してルーティングし、前記着信側端末が前記ＳＧＳＮにて接続状態であって、現在利用しているＲＡＴが３Ｇである場合、前記ＡＳはＰＳドメインを選択してルーティングし、前記着信側端末がアイドル状態である場合、前記ＡＳはＰＳドメイン又はＰＳドメインとＣＳドメインとを選択して同時にルーティングし、又は、
前記ＡＳが、ＩＳＲは既にアクティブにされ、前記着信側端末が現在登録しているネットワーク領域は全てＩＭＳ ＶＯＩＰを支援しないことを把握した場合、前記ＡＳは２Ｇ/３ＧのＣＳドメインを介してルーティングし、又は、
前記ＡＳが、ＩＳＲは既にアクティブにされ、前記着信側端末が現在登録しているトラッキング・エリアはＩＭＳ ＶＯＩＰを支援し、前記着信側端末が現在登録しているルーティング・エリアはＩＭＳ ＶＯＩＰを支援せず、前記着信側端末が現在アイドル状態であることを把握した場合、前記ＡＳはＰＳドメイン又はＣＳドメインを介して、又はＰＳとＣＳドメインを選択して同時にルーティングし、又は、
前記ＡＳが、ＩＳＲは既にアクティブにされ、前記着信側端末が現在登録しているトラッキング・エリアはＩＭＳ ＶＯＩＰを支援し、前記着信側端末が現在登録しているルーティング・エリアはＩＭＳ ＶＯＩＰを支援せず、前記着信側端末が現在前記ＭＭＥにて接続状態であることを把握した場合、前記ＡＳはＰＳドメインを介してルーティングし、又は、
前記ＡＳが、ＩＳＲが既にアクティブにされ、前記着信側端末が現在登録しているトラッキング・エリアはＩＭＳ ＶＯＩＰを支援し、前記着信側端末が現在登録しているルーティング・エリアはＩＭＳ ＶＯＩＰを支援せず、前記着信側端末が現在前記ＳＧＳＮにて接続状態であることを把握した場合、前記ＡＳは２Ｇ/３ＧのＣＳドメインを介してルーティングし、又は、
前記ＡＳが、ＩＳＲは既にアクティブにされ、前記着信側端末が現在登録しているトラッキング・エリアはＩＭＳ ＶＯＩＰを支援せず、前記着信側端末が現在登録しているルーティング・エリアはＩＭＳ ＶＯＩＰを支援し、前記着信側端末が現在登録しているルーティング・エリアは２Ｇ/３Ｇの同一ルーティング・エリアではなく、前記着信側端末が現在アイドル状態であることを把握した場合、前記ＡＳはＰＳドメイン又はＣＳドメインを介し、又はＰＳドメインとＣＳドメインとを介して同時にルーティングし、又は、
前記ＡＳが、ＩＳＲは既にアクティブにされ、前記着信側端末が現在登録しているトラッキング・エリアはＩＭＳ ＶＯＩＰを支援せず、前記着信側端末が現在登録しているルーティング・エリアはＩＭＳ ＶＯＩＰを支援し、前記着信側端末が現在登録しているルーティング・エリアは２Ｇ/３Ｇの同一ルーティング・エリアではなく、前記着信側端末が現在前記ＭＭＥにて接続状態であることを把握した場合、前記ＡＳはＰＳドメインを介して、又はＰＳドメインとＣＳドメインとを介して同時にルーティングし、又は、
前記ＡＳが、ＩＳＲは既にアクティブにされ、前記着信側端末が現在登録しているトラッキング・エリアはＩＭＳ ＶＯＩＰを支援せず、前記着信側端末が現在登録しているルーティング・エリアはＩＭＳ ＶＯＩＰを支援し、前記着信側端末が現在登録しているルーティング・エリアは２Ｇ/３Ｇの同一ルーティング・エリアではなく、前記着信側端末が現在前記ＳＧＳＮにて接続状態であることを把握した場合、前記ＡＳはＰＳドメインを介してルーティングし、又は、
前記ＡＳが、ＩＳＲは既にアクティブにされ、前記着信側端末が現在登録しているトラッキング・エリアはＩＭＳ ＶＯＩＰを支援せず、前記着信側端末が現在登録しているルーティング・エリアはＩＭＳ ＶＯＩＰを支援し、前記着信側端末が現在登録しているルーティング・エリアは２Ｇ/３Ｇの同一ルーティング・エリアであって、前記着信側端末が現在アイドル状態であることを把握した場合、前記ＡＳはＰＳドメイン又はＣＳドメインを介し、又はＰＳドメインとＣＳドメインとを介して同時にルーティングし、又は、
前記ＡＳが、ＩＳＲが既にアクティブにされ、前記着信側端末が現在登録しているトラッキング・エリアはＩＭＳ ＶＯＩＰを支援せず、前記着信側端末が現在登録しているルーティング・エリアはＩＭＳ ＶＯＩＰを支援し、前記着信側端末が現在登録しているルーティング・エリアは２Ｇ/３Ｇの同一ルーティング・エリアであって、前記着信側端末が現在前記ＭＭＥにて接続状態であることを把握した場合、前記ＡＳはＰＳドメインを介して、又はＰＳドメインとＣＳドメインとを介して同時にルーティングし、又は、
前記ＡＳが、ＩＳＲは既にアクティブにされ、前記着信側端末が現在登録しているトラッキング・エリアはＩＭＳ ＶＯＩＰを支援せず、前記着信側端末が現在登録しているルーティング・エリアはＩＭＳ ＶＯＩＰを支援し、前記着信側端末が現在登録しているルーティング・エリアは２Ｇ/３Ｇの同一ルーティング・エリアであって、前記着信側端末が現在前記ＳＧＳＮにて接続状態であって、前記着信側端末が現在３Ｇを利用してアクセスしていることを把握した場合、前記ＡＳはＰＳドメインを介してルーティングし、又は、
前記ＡＳが、ＩＳＲは既にアクティブにされ、前記着信側端末が現在登録しているトラッキング・エリアはＩＭＳ ＶＯＩＰを支援せず、前記着信側端末が現在登録しているルーティング・エリアはＩＭＳ ＶＯＩＰを支援し、前記着信側端末が現在登録しているルーティング・エリアは２Ｇ/３Ｇの同一ルーティング・エリアであって、前記着信側端末が現在ＳＧＳＮにて接続状態であって、前記着信側端末が２Ｇを利用してアクセスしていることを把握した場合、前記ＡＳはＣＳドメインを介し、又はＣＳドメインとＰＳドメインとを介して同時にルーティングすることを含むことを特徴する請求項５に記載の方法。
【請求項９】
ＨＳＳに問い合せ要求メッセージを送信し、また、前記ＨＳＳがフィードバックした情報における着信側端末及び/又は着信側端末がアクセスしたネットワークの情報に基づいて呼び出しメッセージがルーティングされるドメインを選択するＡＳと、
ＰＳドメイン移動性管理ネットワークコンポーネントに問い合せして前記呼び出し要求メッセージにおける着信側端末及び/又は着信側端末がアクセスしたネットワークの情報を取得し、また、取得した前記着信側端末及び/又は着信側端末がアクセスしたネットワークの情報を前記ＡＳにフィードバックするＨＳＳと、
前記ＰＳドメイン移動性管理ネットワークコンポーネントと、を含み、
前記着信側端末がアクセスしたネットワークの情報が前記着信側端末が現在登録しているネットワーク領域のＩＭＳ ＶＯＩＰ能力を含み、
前記着信側端末がアクセスしたネットワークの情報が、さらに、前記着信側端末が現在登録しているルーティング・エリアの２Ｇ/３Ｇの同一ルーティング・エリアの指示を含み、
前記着信側端末の情報が、前記着信側端末の登録時間と、前記着信側端末が最後にネットワークとインタラクションを行った時間と、前記着信側端末の最後のアクセスに利用された無線アクセス技術ＲＡＴと、アイドル状態のシグナリング低減ＩＳＲをアクティブ化したか否か、前記着信側端末が現在接続状態であるか否かの状態情報と、前記着信側端末が最後に２Ｇ/３Ｇの同一ルーティング・エリアにアクセスする際に利用されたＲＡＴの中の少なくとも1つを含むことを特徴とする着信呼時のドメイン選択システム。
【請求項１０】
前記ＰＳドメイン移動性管理ネットワークコンポーネントが移動性管理エンティティＭＭＥ及び/又はサービングＧＰＲＳ支援ノードＳＧＳＮであって、
前記ＨＳＳが、前記問い合せ要求メッセージを受信する第１の受信ブロックと、自分に記録された前記着信側端末のＭＭＥの情報及び/又はＳＧＳＮの情報に基づいて前記ＭＭＥ及び/又は前記ＳＧＳＮに前記問い合せ要求メッセージを送信する第１の送信ブロックと、前記問い合せ要求メッセージを受信した場合、前記ＨＳＳに前記着信側端末及び/又は着信側端末がアクセスしたネットワークの情報を返信するＭＭＥと、前記問い合せ要求メッセージを受信した場合、前記ＨＳＳに前記着信側端末及び/又は着信側端末がアクセスしたネットワークの情報を返信するＳＧＳＮと、を含むことを特徴とする請求項９に記載のシステム。
【発明の詳細な説明】
【技術分野】
【０００１】
本発明は、通信分野に関し、具体的には、着信呼のドメイン選択方法及びそのシステムに関する。
【背景技術】
【０００２】
ＩＰマルチメディアサブシステム（IP Multimedia Core Network Subsystem、以下ＩＭＳと略称）は、第三世代パートナーシッププロジェクト（3rd Generation Partnership Project、３ＧＰＰ）により提出されたＩＰに基づくネットワーク構成であり、オープンで且つ柔軟なサービス環境を構築した。ＩＭＳサービス体系において、コントローラ層とサービス層は分けられ、コントローラ層によって必要なトリガー、ルーティング、課金などの機能をサービス層に提供する。コントローラ層のサービスのトリガー及びコントローラ機能は、呼出/セッション制御機能（Call Session Control Function、以下ＣＳＣＦと略称する。ＣＳＣＦは、代理Proxyと、問い合せInterrogatingと、サービスServingとの三種類に分けられ、その中、主な役割を担うのはServing ＣＳＣＦ、即ち、S-ＣＳＣＦである）によって完成される。サービス層は一連のアプリケーションサーバ（Application Server、以下ＡＳと略称）から構成され、具体的なサービスを提供し、ＡＳは独立した実体であることが可能であると共に、S-ＣＳＣＦに位置されることもできる。コントローラ層は、ユーザとの契約情報に基づいてサービスのトリガーを制御し、ＡＳ上のサービスをスケジューリングして利用することによってサービス機能を実現する。
【０００３】
ユーザ機器（User Equipment、以下ＵＥと略称）は、２Ｇ/３Ｇネットワークのパケット交換（Packet Switching、以下ＰＳと略称）ドメインを介してＩＭＳネットワークに接続され、進化したパケットドメインシステム（Evolved Packet System、以下ＥＰＳと略称、該ネットワークにはＰＳドメインのみ存在する）ネットワークを介してＩＭＳネットワークに接続されることができ、また、２Ｇ/３Ｇネットワークの回線交換（Circuit Switching、以下ＣＳと略称）ドメイン及びＩＭＳネットワークの媒体ゲートウェイ制御機能（Media Gateway Control Function、以下ＭＧＣＦと略称、ＣＳドメインシグナリングとＩＭＳネットワークシグナリングの変換を行う）を介して、ＩＭＳネットワークに接続されることができる。ＵＥが上記の様々な形態でＩＭＳネットワークに接続されてサービスを実現する構成を図１に示している。ＵＥが２Ｇ/３ＧネットワークとＥＰＳネットワークとの共同カバー領域に位置される場合、ＵＥは実際の必要に応じてＥＰＳネットワークに接続するか、又は２Ｇ/３ＧネットワークのＰＳドメインもしくはＣＳドメインに接続するかを確定することができる。
【０００４】
既存技術において、ネットワークの配置上の問題のため、特にネットワークの進化中においてＥＰＳネットワーク又は２Ｇ/３ＧネットワークのＰＳドメインにカバーされたネットワーク領域がいずれもＩＭＳ  ＶＯＩＰ（IMS voice over PS Session）を支援するものではないため、２Ｇ/３Ｇネットワークはルーティング・エリア（Routeing Area、以下ＲＡと略称）を粒度に、ＩＭＳ  ＶＯＩＰ能力を区別し、ＳＧＳＮ（Serving GPRS Support Node、以下サービングＧＰＲＳ支援ノードと略称）はＵＥの１ルーティング・エリアにおけるＩＭＳ  ＶＯＩＰ能力を把握し、ＥＰＳネットワークはトラッキング・エリアリスト（TA list、その中、トラッキング・エリアはTracking Areaである）を粒度としてＩＭＳ  ＶＯＩＰ能力を区別し、ＭＭＥ（Mobility Management Entity、移動性管理エンティティ）はＵＥの１トラッキング・エリアにおけるＩＭＳ  ＶＯＩＰ能力を把握している。
【０００５】
ＳＧＳＮは２Ｇ/３ＧネットワークのＰＳドメイン移動性管理ネットワークコンポーネントであって、ＭＭＥはＥＰＳネットワークのＰＳドメイン移動性管理ネットワークコンポーネントである。図１において、ＭＭＥとＳＧＳＮは独立したネットワークコンポーネントであって、実際の応用及びネットワーク配置において、ＭＭＥとＳＧＳＮはコンボノード（組み合わせノード又は連合ノードとも呼ぶ、即ち、組み合わせの（ｃｏｍｂｉｎｅｄ）  ＭＭＥ/ＳＧＳＮ）であることができる。ＭＭＥとＳＧＳＮの機能が類似し、いずれもＰＳドメイン移動性管理ネットワークコンポーネントであるため、ネットワーク進化中において、ＳＧＳＮとＭＭＥの機能を備える特別なノードが存在する可能性があり、ＳＧＳＮとＭＭＥとの二つのネットワークコンポーネントの間のインタフェースは内部インタフェースであって、コンボノードに含まれるＭＭＥとＳＧＳＮとの間においては内部メッセージを介して、又は内部メモリを共有する形態でメッセージ通信を行い、このような組み合わせノードによると、ネットワークの配置が簡単で、ネットワークコンポーネント間のシグナリング交換のタイム遅延を低減することができるため、一部の経営者はＥＰＳシステムを配置する場合このような形態を取る。ネットワークがコンボノード形態で配置された場合、ＵＥが無線アクセスシステムにおいて登録を開始すると共に該コンボノードを選択していると、その後ＵＥが別の無線アクセスシステムへ移動した場合、既存技術によると、可能なサービス範囲内においてＵＥに該組み合わせノードを選択させる。
【０００６】
上述したように、ＵＥは上記の様々な形態によってＩＭＳにアクセスして呼セッションを行い、着信呼時、呼を効率的にＵＥにルーティングするために、ＩＭＳネットワークがドメインを選択しなければならない。既存技術における着信呼時のドメイン選択の効果を向上させるための方法は、ＨＳＳ（Home Subscriber Server、ホーム加入者サーバ）によって提供されるＩＭＳ  ＶＯＩＰ能力などの情報に基づいて、ドメインを選択する方法であるが、該方法によると、ＳＧＳＮ/ＭＭＥは、ＵＥが接続/更新する場合に位置更新メッセージを介してＨＳＳに該ＵＥが現在アクセスしているエリアがＩＭＳ  ＶＯＩＰを支援するか否かを報知し、その後、該ＵＥがアクセスしたエリアのＶＯＩＰ支援可否が変更された場合、ＳＧＳＮ/ＭＭＥはメッセージを送信してＨＳＳに報知しなければならない。着信呼時、ＡＳはＨＳＳに問い合せし、ＩＭＳ  ＶＯＩＰなどの関連情報を取得してドメイン選択を如何に行うかを確定する。
【０００７】
以下、図２に合わせ、ＵＥが、まず２Ｇ/３ＧネットワークにおいてＳＧＳＮに接続/更新した後、ＥＰＳネットワークに移動してＭＭＥにおいて更新する場合を例にして、関連技術における着信呼時のドメイン選択方法を説明する。ＵＥが、まずＥＰＳネットワークにおいてＭＭＥに接続/更新した後、２Ｇ/３Ｇネットワークに移動してＳＧＳＮにて更新する方法とそのプロセスは、上記の例に類似する。図２は、関連技術における着信呼時のドメイン選択方法を示すフローチャートである。図２に示すように、以下のステップを含む。
【０００８】
ＵＥが、ＳＧＳＮにおいてブートし、又はＳＩＭカードを挿入して接続（attach）し、又はＵＥがＳＧＳＮにカバーされた領域に移動してルーティング・エリアを更新すると仮定する。
【０００９】
ステップ２Ａ１〜ステップ２Ａ８は、ＵＥが２Ｇ/３Ｇネットワークにて接続/更新する場合において、ＳＧＳＮによりＵＥが現在アクセスしているネットワーク領域(即ち、ルーティング・エリア)のＩＭＳ  ＶＯＩＰ能力をＨＳＳに報知する方法のプロセスである。
【００１０】
ＵＥは２Ｇ/３Ｇネットワークにおいて、接続/ルーティング・エリアを更新する（ステップ２Ａ１）。
【００１１】
ＳＧＳＮにユーザのコンテキストが含まれていないので、ＳＧＳＮはＨＳＳに位置更新メッセージを送信し（ステップ２Ａ２）、メッセージにＩＭＳ  ＶＯＩＰ指示を載せてＵＥが現在位置するネットワーク領域がＩＭＳ  ＶＯＩＰを支援するか否かを指示する。
【００１２】
ＨＳＳはＳＧＳＮとインタラクションを行い、位置更新応答及びユーザデータの挿入プロセスを行う（ステップ２Ａ３）。
【００１３】
ＳＧＳＮは、ＵＥに接続/ルーティング・エリア更新受け入れメッセージを送信して接続/更新を完成する（ステップ２Ａ４）。
【００１４】
ＵＥが新しいルーティング・エリアに移動する。
【００１５】
ＵＥはルーティング・エリアの更新を行い、ＳＧＳＮにルーティング・エリア更新メッセージを送信する（ステップ２Ａ５）。
【００１６】
ＳＧＳＮはルーティング・エリア更新メッセージを受信した後、ＳＧＳＮはＵＥが現在アクセスしているエリアのＩＭＳ  ＶＯＩＰ能力が変更されたか否かを判定しなければならない（ステップ２Ａ６）。ＵＥが現在アクセスしているルーティング・エリアのＩＭＳ  ＶＯＩＰ能力が変更された場合、ＳＧＳＮは、ステップ２Ａ７を開始して現在アクセスしているルーティング・エリアのＩＭＳ  ＶＯＩＰ能力が変更されたことをＨＳＳに報知する。そうでない場合は、ステップ２Ａ７は実行しない。
【００１７】
ＳＧＳＮは、ＨＳＳにメッセージを送信して、現在アクセスしているルーティング・エリアのＩＭＳ  ＶＯＩＰ能力をＨＳＳに報知する（ステップ２Ａ７）。
【００１８】
ＳＧＳＮは、ＵＥにルーティング・エリア更新受け入れメッセージを送信する（ステップ２Ａ８）。
【００１９】
ステップ２Ｂ１〜ステップ２Ｂ９は、ＵＥがＥＰＳネットワークにて更新する場合において、ＵＥが現在アクセスしているネットワーク領域(即ち、トラッキング・エリアリスト)のＩＭＳ  ＶＯＩＰ能力をＭＭＥによりＨＳＳに報知する方法のプロセスである。
【００２０】
ＵＥはＥＰＳネットワークに移動してアクセスする。
【００２１】
ＵＥはトラッキング・エリアの更新を開始し、ＵＥはＭＭＥにトラッキング・エリア更新メッセージを送信する（ステップ２Ｂ１）。
【００２２】
ＭＭＥは、ＵＥが送信したメッセージに含まれた情報に基づいてＵＥが先に登録していたＳＧＳＮを探し出し、ＳＧＳＮからＵＥコンテキストを取得する（ステップ２Ｂ２）。該ステップにおいて、ＭＭＥはアイドル・モード・シグナリング低減（Idle Signalling Reduction、以下ＩＳＲと略称）機能をアクティブにしてＳＧＳＮとＭＭＥとの間でＩＳＲ関係を確立する。
【００２３】
ＭＭＥにユーザコンテキストが含まれていないため、ＭＭＥは、ＨＳＳにＵＥが現在アクセスしているネットワーク領域のＩＭＳ  ＶＯＩＰ能力を含んだ位置更新メッセージを送信する（ステップ２Ｂ３）。
【００２４】
ＨＳＳはＭＭＥとの間でユーザデータの挿入及び位置更新応答プロセスを行う（ステップ２Ｂ４）。
【００２５】
ＭＭＥはＵＥにトラッキング・エリア更新受け入れメッセージを送信する（ステップ２Ｂ５）。
【００２６】
ＵＥは既に登録したトラッキング・エリアリストに含まれていないトラッキング・エリアに移動して、また、該トラッキング・エリアは更新されていないので、ＵＥはトラッキング・エリアの更新を開始する。
【００２７】
ＵＥはＭＭＥにトラッキング・エリア更新メッセージを送信する（ステップ２Ｂ６）。
【００２８】
ＭＭＥはＵＥが現在アクセスしているネットワーク領域のＩＭＳ  ＶＯＩＰ能力が変更されたか否かを判定し、変更された場合、ＭＭＥは２Ｂ８ステップを実行し、そうでない場合は２Ｂ８ステップを実行しない（ステップ２Ｂ７）。
【００２９】
ＭＭＥはＨＳＳにメッセージを送信し、該ＵＥが現在アクセスしているネットワーク領域のＩＭＳ  ＶＯＩＰ能力をＨＳＳに報知する（ステップ２Ｂ８）。
【００３０】
ＭＭＥはＵＥにトラッキング・エリア更新受け入れメッセージを送信する（ステップ２Ｂ９）。
【００３１】
その後、ＵＥはネットワークにおいて移動すると共にブート等を行って上記の接続/更新に類似するプロセスを実行するが、当業者であれば簡単に行われるものであるのでその説明を省略するが、ただ、ＣＳＣＦ/ＡＳが該ＵＥにて呼セッションを行う必要があるとの要求を受信した場合、ドメイン選択を行わなければならない。以下の２Ｃ１〜２Ｃ４は、ＣＳＣＦ/ＡＳが呼セッション要求を受信した後ドメイン選択を行うプロセスである。
【００３２】
ＣＳＣＦ/ＡＳがＵＥを呼び出す必要があるとの要求を受信する（ステップ２Ｃ１）。
【００３３】
ＡＳはＨＳＳに問い合せ要求メッセージを送信して、ＵＥが最近アクセスしたネットワーク領域のＩＭＳ  ＶＯＩＰ能力等の情報を調べる（ステップ２Ｃ２）。
【００３４】
ＨＳＳは、ＵＥが最近アクセスしたネットワーク領域のＩＭＳ  ＶＯＩＰ能力を含む問い合せ応答メッセージをＡＳに返信する（ステップ２Ｃ３）。
【００３５】
ＡＳはＨＳＳにより提供された情報に基づいて着信呼時のドメイン選択を行う（ステップ２Ｃ４）。
【００３６】
上記の着信呼時のドメイン選択方法を導入した後、ＵＥがＳＧＳＮとＭＭＥに既に登録された状況で、ＵＥがアクセスしたルーティング・エリアと、トラッキング・エリアのＩＭＳ  ＶＯＩＰ能力が変更された場合、ＳＧＳＮとＭＭＥがＨＳＳにシグナリングの要求を送信しなければならないため、ＳＧＳＮ/ＭＭＥとＨＳＳとの間にシグナリングの負荷をもたらしてしまう。しかし、実際の応用において、殆どのユーザはネットワーク内にて移動し、移動する領域はＩＭＳ  ＶＯＩＰ支援能力が相違するルーティング・エリアとトラッキング・エリアとを含み、ユーザが受信する電話が少ないので、呼中において、ＣＳＣＦ/ＡＳは呼をＵＥに送信し、ＡＳは着信呼時のドメイン選択を行わなければならないので、上記技術を利用することによるドメイン選択の正確性の向上に比べ、上記ＭＭＥ/ＳＧＳＮとＨＳＳとの間に新しく追加されたシグナリングによる上記技術の技術効果は限られている。
【００３７】
ネットワークの配置において、図３に示す状況では、該ネットワーク領域に多くのユーザを同時に乗せることができる交通機関、例えば地下鉄が存在する場合に、上記の関連技術における方法を応用すると仮定すると、毎日の通勤ラッシュの時、ユーザがある箇所から他の箇所に移動するので、その中の一部のユーザのみが呼び出されても上記の関連技術における着信呼時のドメイン選択方法を完了しなければならないため、ＭＭＥ/ＳＧＳＮとＨＳＳとの間には大量のシグナリングが発生し、ネットワークの安全運営にある程度のリスクをもたらし、一部のユーザのサービスに影響を与えてしまう。上記の問題を完全に解消しようとすると、ネットワークの配置に様々な要求と制限を提出することになる。
【００３８】
上述の関連技術における着信呼時のドメイン選択方法を、ＩＳＲがアクティブにされた状況に応用すると更に複雑になる。ＩＳＲは、アイドル状態のＵＥが、２Ｇ/３ＧネットワークとＥＰＳが共同にカバーしたエリアにおいて、ネットワークを選択して登録プロセスを開始することによるネットワークシグナリングの負荷を低減するために３ＧＰＰが支援する機能である。その主要思想は、ＵＥがＳＧＳＮとＭＭＥに同時に登録して、ＳＧＳＮとＭＭＥがいずれもユーザコンテキスト情報を保存し、ＵＥ側にも二つのネットワークでの登録情報を保存することによって、ＵＥが二つのネットワークから選択する必要がある場合、ＴＡＵとＲＡＵプロセスを行わないが、ＵＥが現在位置するルーティング・エリアに登録していない場合、又は現在位置するトラッキング・エリアが既に登録したトラッキング・エリアリストに含まれていない場合には、上記ＴＡＵとＲＡＵプロセスを行わなければならない。ＩＳＲがアクティブにされ、ＵＥがアクセスシステムを変更する場合、更新を開始しないので、ＵＥがアイドル状態であると、ネットワークはＵＥが現在どのアクセスシステムに位置されたかを把握することができない。
【００３９】
上記の２Ｇ/３ＧとＥＰＳネットワークに共同にカバーされてＩＳＲ機能を備えるエリアをＩＳＲエリアと称することができる。ネットワーク配置において、ＩＳＲエリアとＩＭＳ  ＶＯＩＰを支援するエリアとが同一である又は相違することができるが、ＩＳＲエリアとＩＭＳ  ＶＯＩＰを支援するエリアが同一であると、該方法は図２に示す方法と同一であって、そうでなければ、図２に示す方法に加え、その他の要求が追加される。
【００４０】
例えば、図４に示すように、ＥＰＳネットワークと２Ｇ/３Ｇネットワークの重なるエリアはＩＳＲ機能は支援するが（即ち、ＩＳＲエリア）、該ＩＳＲエリアは、ＵＥがＥＰＳネットワークを介してアクセスされると、ＩＭＳ  ＶＯＩＰを支援し、２Ｇ/３Ｇネットワークを介してアクセスされると、ＩＭＳ  ＶＯＩＰを支援せず、又は全ての２Ｇ/３ＧエリアがＩＭＳ  ＶＯＩＰを支援するものではなくなる。ＵＥがまずＩＭＳ  ＶＯＩＰを支援しないＲＡ1を介してアクセスして接続/更新を行うと仮定すると、該更新中において、ＳＧＳＮはＨＳＳにＩＭＳ  ＶＯＩＰを支援しないことを報知し、その後ＵＥはＥＰＳに移動してアクセスし、ＴＡＵプロセスを行うが、該更新中において、ＩＳＲがアクティブにされたとすると、その後ＵＥがＲＡ1に再び移動して更新を開始しない可能性があり、ＵＥが２Ｇ/３ＧネットワークのＲＡ1にてアクセスされた場合、ＣＳドメインを介して着信呼を行わなければならないので、上記の関連技術における着信呼時のドメイン選択方法によると、ＭＭＥが現在ＵＥがアクセスしているＥＰＳネットワーク領域のＩＭＳ  ＶＯＩＰ能力を報知しなければならず、ＩＳＲがアクティブにされた状況で、現在のＩＭＳ  ＶＯＩＰ指示に基づいてドメイン選択を行ってはいけないことをＨＳＳに指示しなければならないが、その具体的な指示方式はさまざまである。従って、ＵＥが現在アクセスしているネットワーク領域のＩＭＳ  ＶＯＩＰ能力が変更された場合、ＭＭＥ/ＳＧＳＮがＨＳＳにメッセージを送信してＩＭＳ  ＶＯＩＰ能力を指示するように要求すると共に、ＩＳＲがアクティブ化と非アクティブ化との間で変更される、又はＩＳＲがアクティブにされた状況で、ＨＳＳとインタラクションを行い、関連情報をＨＳＳに送信するようにＭＭＥ/ＳＧＳＮに要求するが、このような要求によって、ネットワークのシグナリング負荷が増え、システムの処理が複雑になってしまう。
【００４１】
ネットワークの配置において、２Ｇ/３Ｇの同一ルーティング・エリアが存在する場合、ＵＥがアイドル状態で同一のルーティング・エリアの２Ｇと３Ｇとの無線アクセス技術（Radio Access Technology、以下ＲＡＴと略称）の間で変更される場合、既存技術によると、ルーティング・エリアの更新を行わないので、上記の関連技術における着信呼時のドメイン選択方法を当該状況に応用すると、ＩＳＲがアクティブにされた状況に類似する問題が存在する。
【発明の概要】
【発明が解決しようとする課題】
【００４２】
本発明は、少なくとも上記の問題を解決できる着信呼時ドメイン選択方法及びそのシステムを提供することを目的とする。
【課題を解決するための手段】
【００４３】
本発明の一態様によると、アプリケーションサーバＡＳがホーム加入者サーバＨＳＳに問い合せ要求メッセージを送信するステップと、ＨＳＳがパケット交換ＰＳドメイン移動性管理ネットワークコンポーネントに問い合せして呼び出し要求メッセージにおける着信側端末及び/又は着信側端末がアクセスしたネットワークの情報を取得するステップと、ＨＳＳが取得した着信側端末及び/又は着信側端末がアクセスしたネットワークの情報をＡＳにフィードバックするステップと、ＡＳが着信側端末及び/又は着信側端末がアクセスしたネットワークの情報に基づいて呼び出しメッセージがルーティングされるドメインを選択するステップと、を含み、着信側端末がアクセスしたネットワークの情報が着信側端末が現在登録しているネットワーク領域のＩＭＳ ＶＯＩＰ能力を含み、着信側端末の情報が着信側端末の登録時間と、着信側端末が最後にネットワークとインタラクションを行った時間と、着信側端末の最後のアクセスに利用された無線アクセス技術ＲＡＴと、アイドル状態のシグナリング低減ＩＳＲをアクティブ化したか否か、着信側端末が現在接続状態であるか否かの状態情報と、上記着信側端末が最後に２Ｇ/３Ｇの同一ルーティング・エリアにアクセスする際に利用したＲＡＴの中の少なくとも1つを含み、着信側端末がアクセスしたネットワークの情報が、さらに着信側端末が現在登録しているルーティング・エリアの２Ｇ/３Ｇの同一ルーティング・エリア指示を含む着信呼時のドメイン選択方法を提供する。
【００４４】
ＰＳドメイン移動性管理ネットワークコンポーネントがＭＭＥ及び/又はＳＧＳＮを含み、ＨＳＳが問い合せ要求メッセージに基づいてＰＳドメイン移動性管理ネットワークコンポーネントに問い合せして呼び出し要求メッセージにおける着信側端末及び/又は着信側端末がアクセスしたネットワークの情報を取得するステップが、ＨＳＳが問い合せ要求メッセージを受信するステップと、ＨＳＳが自分に記録された着信側端末のＭＭＥの情報及び/又はＳＧＳＮの情報に基づいて、ＭＭＥ及び/又はＳＧＳＮに問い合せ要求メッセージを送信するステップと、ＭＭＥが問い合せ要求メッセージを受信した場合、ＭＭＥがＨＳＳに着信側端末及び/又は着信側端末がアクセスしたネットワークの情報を返信するステップと、ＳＧＳＮが問い合せ要求メッセージを受信した場合、ＳＧＳＮがＨＳＳに着信側端末及び/又は着信側端末がアクセスしたネットワークの情報を返信するステップと、を含むことが好ましい。
【００４５】
ＨＳＳが取得した着信側端末及び/又は着信側端末がアクセスしたネットワークの情報をＡＳにフィードバックするステップが、ＨＳＳがＭＭＥとＳＧＳＮから送信された着信側端末及び/又は着信側端末がアクセスしたネットワークの情報を受信するステップと、ＨＳＳがＭＭＥとＳＧＳＮからの着信側端末及び/又は着信側端末がアクセスしたネットワークの情報を受信して着信側端末が最後にアクセス及び/又は更新したＭＭＥ又はＳＧＳＮが送信した情報又は情報の組み合わせを受信するステップと、ＨＳＳがＡＳに情報又は情報の組み合わせをフィードバックするステップと、を含むことが好ましい。
【００４９】
ＭＭＥとＳＧＳＮとが独立したネットワークコンポーネントであるか、又は組み合わせのコンボノードであることができる。その中、上記コンボノードがｃｏｍｂｉｎｅｄ  ＭＭＥ/ＳＧＳＮであることが好ましい。
【００５０】
コンボノードがＨＳＳの問合わせ要求メッセージを受信し、ＵＥが現在該コンボノードにてトラッキング・エリアＴＡとルーティング・エリアＲＡの登録を行っている場合、コンボノードは応答メッセージを介してＨＳＳに着信側端末の情報を返信する。
【００５１】
ＡＳが着信側端末及び/又は着信側端末がアクセスしたネットワークの情報に基づいて、呼び出しメッセージがルーティングされるドメインを選択するステップが、ＡＳが、端末はＭＭＥにて接続状態であって、端末が現在アクセスしているネットワーク領域はＩＭＳ  ＶＯＩＰを支援することを把握した場合、ＡＳは端末が現在アクセスしているドメインを選択して着信呼を行い、又は、ＡＳが、端末はＳＧＳＮにて接続状態であって、端末が現在アクセスしているネットワーク領域とＲＡＴはＩＭＳ  ＶＯＩＰを支援することを把握した場合、ＡＳは端末が現在アクセスしているドメインを選択して着信呼を行うことを含むことが好ましい。
【００５２】
ＡＳが着信側端末及び/又は着信側端末がアクセスしたネットワークの情報に基づいて呼び出しメッセージがルーティングされるドメインを選択するステップが、ＡＳが、端末はアイドル状態であって、ＩＳＲはアクティブにされていて、端末が現在登録している進化型のパケットドメインシステムＥＰＳネットワーク領域はＩＭＳ  ＶＯＩＰを支援するが２Ｇ/３Ｇネットワーク領域はＩＭＳ  ＶＯＩＰを支援しないことを把握した場合、ＡＳはＰＳアクセス方式と２Ｇ/３Ｇの回線交換ＣＳ方式を介して並行して着信呼を行うステップを含むことが好ましい。
【００５３】
ＡＳが着信側端末及び/又は着信側端末がアクセスしたネットワークの情報に基づいて呼び出しメッセージがルーティングされるドメインを選択するステップが、ＡＳが、ＩＳＲはアクティブにされず、着信側端末が最後に登録したネットワーク領域はトラッキングエリアであって、トラッキング・エリアはＩＭＳ  ＶＯＩＰを支援することを把握した場合、ＡＳはＥＰＳを介してルーティングし、又は、ＡＳが、ＩＳＲはアクティブにされず、着信側端末が最後に登録したネットワーク領域はトラッキング・エリアであって、トラッキング・エリアはＩＭＳ  ＶＯＩＰを支援しないことを把握した場合、ＡＳはＥＰＳ又は２Ｇ/３ＧのＣＳドメイン、又はＥＰＳと２Ｇ/３ＧのＣＳドメインを介して同時にルーティングを行い、又は、ＡＳが、ＩＳＲはアクティブにされず、着信側端末が最後に登録したネットワーク領域はルーティング・エリアであって、ルーティング・エリアは２Ｇ/３Ｇの同一ルーティング・エリアではなく、ルーティング・エリアはＩＭＳ  ＶＯＩＰを支援することを把握した場合、ＡＳは２Ｇ/３ＧのＰＳドメインを介してルーティングし、又は、ＡＳが、ＩＳＲはアクティブにされず、着信側端末が最後に登録したネットワーク領域はルーティング・エリアであって、ルーティング・エリアは２Ｇ/３Ｇの同一のルーティング・エリアではなく、ルーティング・エリアはＩＭＳ  ＶＯＩＰを支援しないことを把握した場合、ＡＳは２Ｇ/３ＧのＣＳドメインを介してルーティングし、又は、ＡＳが、ＩＳＲはアクティブにされず、着信側端末が最後に登録したネットワーク領域はルーティング・エリアであって、ルーティング・エリアは２Ｇ/３Ｇの同一ルーティング・エリアであって、ルーティング・エリアがＩＭＳ  ＶＯＩＰを支援することを把握した場合、ＡＳは２Ｇ/３ＧのＰＳドメイン又は２Ｇ/３ＧのＣＳドメインを介し、又は２Ｇ/３ＧのＰＳドメインとＣＳドメインとを介して同時にルーティングし、又は、ＡＳが、ＩＳＲがアクティブにされず、着信側端末が最後に登録したネットワーク領域はルーティング・エリアであって、ルーティング・エリアは２Ｇ/３Ｇの同一のルーティング・エリアであり、ルーティング・エリアはＩＭＳ  ＶＯＩＰを支援しないことを把握した場合、ＡＳは２Ｇ/３ＧのＣＳドメインを介してルーティングし、又は、ＡＳが、ＩＳＲは既にアクティブにされ、着信側端末が現在登録しているネットワーク領域は全てＩＭＳ  ＶＯＩＰを支援し、着信側端末が現在登録しているルーティング・エリアは２Ｇ/３Ｇの同一ルーティング・エリアではないことを把握した場合、ＡＳはＰＳドメインを介してルーティングし、又は、ＡＳが、ＩＳＲは既にアクティブにされ、着信側端末が現在登録しているネットワーク領域は全てＩＭＳ  ＶＯＩＰを支援し、着信側端末が現在登録しているルーティング・エリアは２Ｇ/３Ｇの同一ルーティング・エリアであることを把握した場合、ＡＳはＰＳドメインを介し、又はＰＳドメインとＣＳドメインとを介して同時にルーティングし、又は、ＡＳが、ＩＳＲは既にアクティブにされ、着信側端末が現在登録しているネットワーク領域はＩＭＳ  ＶＯＩＰを支援し、着信側端末が現在登録しているルーティング・エリアは２Ｇ/３Ｇの同一ルーテ��ング・エリアであることを把握した場合、ＡＳは着信側端末の状態情報を更に判定するが、着信側端末がＭＭＥにて接続状態である場合、ＡＳはＰＳドメインを選択してルーティングし、着信側端末がＳＧＳＮにて接続状態であって、現在利用しているＲＡＴが２Ｇである場合、ＡＳはＣＳドメインを選択してルーティングし、着信側端末がＳＧＳＮにて接続状態であって、現在利用しているＲＡＴが３Ｇである場合、ＡＳはＰＳドメインを選択してルーティングし、着信側端末がアイドル状態である場合、ＡＳはＰＳドメイン又はＰＳドメインとＣＳドメインとを選択して同時にルーティングし、又は、ＡＳが、ＩＳＲは既にアクティブにされ、着信側端末が現在登録しているネットワーク領域は全てＩＭＳ  ＶＯＩＰを支援しないことを把握した場合、ＡＳは２Ｇ/３ＧのＣＳドメインを介してルーティングし、又は、ＡＳが、ＩＳＲは既にアクティブにされ、着信側端末が現在登録しているトラッキング・エリアはＩＭＳ  ＶＯＩＰを支援し、着信側端末が現在登録しているルーティング・エリアはＩＭＳ  ＶＯＩＰを支援せず、着信側端末が現在アイドル状態であることを把握した場合、ＡＳはＰＳドメイン又はＣＳドメインを介して又はＰＳとＣＳドメインを選択して同時にルーティングし、又は、ＡＳが、ＩＳＲは既にアクティブにされ、着信側端末が現在登録しているトラッキング・エリアはＩＭＳ  ＶＯＩＰを支援し、着信側端末が現在登録しているルーティング・エリアはＩＭＳ  ＶＯＩＰを支援せず、着信側端末が現在ＭＭＥにて接続状態であることを把握した場合、ＡＳはＰＳドメインを選択してルーティングし、又は、ＡＳが、ＩＳＲが既にアクティブにされ、着信側端末が現在登録しているトラッキング・エリアはＩＭＳ  ＶＯＩＰを支援し、着信側端末が現在登録しているルーティング・エリアはＩＭＳ  ＶＯＩＰを支援せず、着信側端末が現在ＳＧＳＮにて接続状態であることを把握した場合、ＡＳは２Ｇ/３ＧのＣＳドメインを介してルーティングし、又は、ＡＳが、ＩＳＲは既にアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアではなく、着信側端末が現在アイドル状態であることを把握した場合、ＡＳはＰＳドメイン又はＣＳドメインを介し、又はＰＳドメインとＣＳドメインとを選択して同時にルーティングし、又は、ＡＳが、ＩＳＲは既にアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアではなく、着信側端末が現在ＭＭＥにて接続状態であることを把握した場合、ＡＳはＰＳドメインを介して又はＰＳドメインとＣＳドメインとを介して同時にルーティングし、又は、ＡＳが、ＩＳＲは既にアクティブにされ、着信側端末が現在登録しているトラッキング・エリアはＩＭＳ  ＶＯＩＰを支援せず、着信側端末が現在登録してい���ルーティング・エリアはＩＭＳ  ＶＯＩＰを支援し、着信側端末が現在登録しているルーティング・エリアは２Ｇ/３Ｇの同一ルーティング・エリアではなく、着信側端末が現在ＳＧＳＮにて接続状態であることを把握した場合、ＡＳはＰＳドメインを介してルーティングし、又は、ＡＳが、ＩＳＲは既にアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアであって、着信側端末が現在アイドル状態であることを把握した場合、ＡＳはＰＳドメイン又はＣＳドメインを介し、又はＰＳドメインとＣＳドメインとを介して同時にルーティングし、又は、ＡＳが、ＩＳＲが既にアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアであって、着信側端末が現在ＭＭＥにて接続状態であることを把握した場合、ＡＳはＰＳドメインを介して又はＰＳドメインとＣＳドメインとを介して同時にルーティングし、又は、ＡＳが、ＩＳＲは既にアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアであって、着信側端末が現在ＳＧＳＮにて接続状態であって、着信側端末が現在３Ｇを利用してアクセスしていることを把握した場合、ＡＳはＰＳドメインを介してルーティングし、又は、ＡＳが、ＩＳＲは既にアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアであって、着信側端末が現在ＳＧＳＮにて接続状態であって、着信側端末が現在２Ｇを利用してアクセスしていることを把握した場合、ＡＳはＣＳドメインを介し、又はＣＳドメインとＰＳドメインとを介してルーティングすることが好ましい。
【００５４】
上記方法において、端末がルーティング・エリアから他のルーティング・エリアに移動し、ＳＧＳＮにルーティング・エリア更新メッセージを送信してルーティング・エリア更新を行う場合、ＳＧＳＮは受信したルーティング・エリア更新メッセージに基づいて、端末の位置情報を更新し、端末にルーティング・エリア更新受け入れメッセージを送信するステップを更に含むことが好ましい。
【００５５】
上記方法において、端末が進化したパケットドメインシステムＥＰＳのネットワークにおける既に登録されたトラッキング・エリアリストに含まれていないトラッキング・エリアに移動し、ＭＭＥにトラッキング・エリア更新メッセージを送信してトラッキング・エリア更新を行う場合、ＭＭＥが受信したトラッキング・エリア更新メッセージに基づいて、端末の位置情報を更新し、端末にトラッキング・エリア更新受け入れメッセージを送信するステップを更に含むことが好ましい。
【００５６】
本発明の他の一方面によると、ＨＳＳに問い合せ要求メッセージを送信し、ＨＳＳがフィードバックした情報における着信側端末及び/又は着信側端末がアクセスしたネットワークの情報に基づいて呼び出しメッセージがルーティングされるドメインを選択するＡＳと、ＰＳドメイン移動性管理ネットワークコンポーネントに問い合せして呼び出し要求メッセージにおける着信側端末及び/又は着信側端末がアクセスしたネットワークの情報を取得し、取得した着信側端末及び/又は着信側端末がアクセスしたネットワークの情報をＡＳにフィードバックするＨＳＳと、ＰＳドメイン移動性管理ネットワークコンポーネントと、を含み、着信側端末がアクセスしたネットワークの情報が着信側端末が現在登録しているネットワーク領域のＩＭＳ ＶＯＩＰ能力を含み、着信側端末の情報が着信側端末が登録した時間と、着信側端末が最後にネットワークとインタラクションを行った時間と、着信側端末の最後にアクセスする際に利用した無線アクセス技術ＲＡＴと、アイドル状態のシグナリング低減ＩＳＲがアクティブ化したか否か、着信側端末が接続状態であるか否かの状態情報と、上記着信側端末が最後に上記２Ｇ/３Ｇの同一ルーティング・エリアにアクセスする際に利用したＲＡＴとの中の少なくとも1つを含む着信呼時ドメイン選択システムを提供する。
【００５７】
ＰＳドメイン移動性管理ネットワークコンポーネントがＭＭＥ及び/又はＳＧＳＮであって、ＨＳＳが問い合せ要求メッセージを受信する第１の受信ブロックと、自分に記録された着信側端末のＭＭＥの情報及び/又はＳＧＳＮの情報に基づいてＭＭＥ及び/又はＳＧＳＮに問い合せ要求メッセージを送信する第１の送信ブロックと、問い合せ要求メッセージを受信した場合、ＨＳＳに着信側端末及び/又は着信側端末がアクセスしたネットワークの情報を返信するＭＭＥと、問い合せ要求メッセージを受信した場合、ＨＳＳに着信側端末及び/又は着信側端末がアクセスしたネットワークの情報を返信するＳＧＳＮと、を含むことが好ましい。
【００５９】
端末がルーティング・エリアから他のルーティング・エリアに移動し、ＳＧＳＮにルーティング・エリア更新メッセージを送信してルーティング・エリアの更新を行う場合、ＳＧＳＮは端末から送信されたルーティング・エリア更新メッセージを受信する第２の受信ブロックと、ルーティング・エリア更新メッセージに基づいて、端末の位置情報を更新する第１の更新ブロックと、端末にルーティング・エリア更新受け入れメッセージを送信する第２の送信ブロックと、を含むことが好ましい。
【００６０】
端末がＥＰＳネットワークにおける既に登録したトラッキング・エリアリストに含まれていないトラッキング・エリアに移動し、ＭＭＥにトラッキング・エリア更新メッセージを送信してトラッキング・エリア更新を行う場合、ＭＭＥが端末から送信されたトラッキング・エリア更新メッセージを受信する第３の受信ブロックと、トラッキング・エリア更新メッセージに基づいて、端末の位置情報を更新する第２の更新ブロックと、端末にトラッキング・エリア更新受け入れメッセージを送信する第３の送信ブロックと、を含むことが好ましい。
【発明の効果】
【００６１】
本発明によると、着信呼中において、ＡＳが呼び出し要求を受信してドメイン選択を行う場合、ＨＳＳがＡＳの問い合せメッセージを受信した後、ＰＳドメイン移動性管理ネットワークコンポーネントに着信側端末が現在登録しているネットワーク領域のＩＭＳ  ＶＯＩＰ能力を問い合せることによって、ＰＳドメイン移動性管理ネットワークコンポーネントが既にＨＳＳとインタラクションを行い、位置更新プロセスを行った後にＵＥがアクセスしているネットワーク領域のＩＭＳ  ＶＯＩＰ能力が変更されるたびにＨＳＳに関連情報を送信する必要がなくなり、関連技術におけるＵＥがアクセスしたルーティング・エリア、トラッキング・エリアのＩＭＳ  ＶＯＩＰ能力が変更された場合ＳＧＳＮとＭＭＥが必ずＨＳＳにメッセージを送信して最新のＶＯＩＰ能力などの情報をＨＳＳに伝送することを要求することによるＳＧＳＮ/ＭＭＥとＨＳＳとの間のシグナリング負荷が高い問題を解決し、ＰＳドメイン移動性管理ネットワークコンポーネントとＨＳＳとの間のシグナリング量を大幅に低減でき、ネットワーク配置におけるＨＳＳによるシグナリング負荷に対する各種の制限をなくし、ネットワークの配置が便利になり、サービスの実現を保証される。
【図面の簡単な説明】
【００６２】
【図１】関連技術に係るＵＥがＩＭＳネットワークにアクセスしてサービスを実現する形態を示す図である。
【図２】関連技術における着信呼時のドメイン選択方法を示すフローチャートである。
【図３】関連技術における実現可能なネットワークの配置及びそれがＩＭＳ  ＶＯＩＰ能力を支援することを示す図である。
【図４】関連技術におけるＩＳＲエリアとＩＭＳ  ＶＯＩＰエリアとの相違するネットワークの配置を示す図である。
【図５】本発明の実施例に係る着信呼時のドメイン選択方法を示す図である。
【図６】本発明の好適な方法の実施例１に係る着信呼時のドメイン選択方法を示すフローチャートである。
【図７】本発明の好適な方法の実施例２に係る組み合わせの  ＭＭＥ/ＳＧＳＮでの着信呼時のドメイン選択方法を示すフローチャートである。
【図８】本発明の好適な方法の実施例３に係る組み合わせの  ＭＭＥ/ＳＧＳＮでの着信呼時のドメイン選択方法を示すフローチャートである。
【図９】本発明の実施例に係る着信呼時のドメイン選択システムを示す図である。
【図１０】本発明の実施例に係る着信呼時のドメイン選択システムを示す図である。
【図１１】本発明の他の実施例に係る着信呼時のドメイン選択システムを示す図である。
【発明を実施するための形態】
【００６３】
以下、図面を参照しつつ実施例に合わせ、本発明を詳しく説明する。ここで、互いに矛盾しない限り、本発明に記載の実施例及び実施例における技術的特徴を組み合わせることができる。
【００６４】
図５は、本発明の実施例に係る着信呼時のドメイン選択方法を示す図である。図に示すように、以下のステップを含む。
【００６５】
ＡＳがＨＳＳに問い合せ要求メッセージを送信する（ステップＳ５０２）。
【００６６】
ＨＳＳがＰＳドメイン移動性管理ネットワークコンポーネントに問い合せ(query)して呼び出し要求メッセージにおける着信側端末及び/又は該着信側端末がアクセスしたネットワークの情報を取得する（ステップＳ５０４）。
【００６７】
ＨＳＳは取得した着信側端末及び/又は着信側端末がアクセスしたネットワークの情報をＡＳにフィードバックする（ステップＳ５０６）。
【００６８】
ＡＳは着信側端末及び/又は着信側端末がアクセスしたネットワークの情報に基づいて呼び出しメッセージがルーティングされるドメインを選択する（ステップＳ５０８）。
【００６９】
ステップＳ５０２において、ＡＳが受信した呼び出し要求メッセージに基づいてＨＳＳに問い合せ要求メッセージを送信することが好ましい。
【００７０】
ステップＳ５０４において、ＨＳＳが、受信した問い合せ要求メッセージに基づいてＰＳドメイン移動性管理ネットワークコンポーネントに問い合せして呼び出し要求メッセージにおける着信側端末及び/又は着信側端末がアクセスしたネットワークの情報を取得することが好ましい。
【００７１】
上記実施例によると、着信呼中において、ＡＳが呼び出し要求を受信してドメイン選択を行う場合、ＨＳＳはＡＳの問い合せメッセージを受信した後、ＰＳドメイン移動性管理ネットワークコンポーネントに着信側端末が現在登録しているネットワーク領域のＩＭＳ  ＶＯＩＰ能力を問い合せるため、ＰＳドメイン移動性管理ネットワークコンポーネントがＨＳＳとインタラクションを行い、位置更新を行った後、ＵＥが現在アクセスしているネットワーク領域のＩＭＳ  ＶＯＩＰ能力が変更されるたびにＨＳＳに関連情報を送信する必要がなくなり、関連技術におけるＵＥがアクセスしたルーティング・エリアとトラッキング・エリアのＩＭＳ  ＶＯＩＰ能力が変更した場合、ＳＧＳＮとＭＭＥはＨＳＳにメッセージを送信して最新のＶＯＩＰ能力等の情報をＨＳＳに伝送するように要求することによってＳＧＳＮ/ＭＭＥとＨＳＳとの間のシグナリング負荷が増加される問題が解決できる。ユーザが電話を受信する時が少ないため、該実施例によると、ＰＳドメイン移動性管理ネットワークコンポーネントとＨＳＳとの間のシグナリング量を大幅に低減することができ、ネットワークの配置におけるＨＳＳによるシグナリング負荷に対する各種の制限をなくすことができ、ネットワークの配置が便利となり、またサービスの実現が保証される。
【００７２】
ステップＳ５０４におけるＰＳドメイン移動性管理ネットワークコンポーネントがＭＭＥ及び/又はＳＧＳＮを含み、ステップＳ５０４が、ＨＳＳが問い合せ要求メッセージを受信するステップと、ＨＳＳが自分に記録された着信側端末のＭＭＥの情報及び/又はＳＧＳＮの情報に基づいてＭＭＥ及び/又はＳＧＳＮに問い合せ要求メッセージを送信するステップと、ＭＭＥが問い合せ要求メッセージを受信した場合、ＭＭＥがＨＳＳに着信側端末及び/又は着信側端末がアクセスしたネットワークの情報を返信するステップと、ＳＧＳＮが問い合せ要求メッセージを受信した場合、ＳＧＳＮがＨＳＳに着信側端末及び/又は着信側端末がアクセスしたネットワークの情報を返信するステップと、を含むことが好ましい。その中、ＭＭＥとＳＧＳＮは組み合わせのＭＭＥ/ＳＧＳＮであってもよい。
【００７３】
上記の好適な実施例によると、ＨＳＳがＰＳドメイン移動性管理ネットワークコンポーネントに問い合せして呼び出し要求メッセージにおける着信側端末及び/又は着信側端末がアクセスしたネットワークの情報を取得する具体的な実施形態を提供する。
【００７４】
上記の着信側端末がアクセスしたネットワークの情報は着信側端末が現在登録しているネットワーク領域のＩＭＳ  ＶＯＩＰ能力を含み、上記着信側端末の情報は、着信側端末が登録した時間と、着信側端末が最後にネットワークとインタラクションを行った時間と、着信側端末が最後のアクセスに利用したＲＡＴと、ＩＳＲがアクティブ化されたか否か、着信側端末が接続状態であるか否か、着信側端末が最後に該ルーティング・エリアにアクセスする際に利用したＲＡＴの中の少なくとも1つを含むことが好ましい。着信側端末がアクセスしたネットワークの情報は着信側端末が現在登録しているルーティング・エリアの２Ｇ/３Ｇの同一ルーティング・エリアの指示を更に含むことが好ましい。
【００７５】
具体的には、着信側端末が現在登録しているルーティング・エリアの２Ｇ/３Ｇの同一ルーティング・エリアの指示と着信側端末が最後に該ルーティング・エリアにアクセスする際に利用したＲＡＴ情報は、ＳＧＳＮにより提供されたＵＥが現在登録しているルーティング・エリアが２Ｇ/３Ｇの同一ルーティング・エリアであるか否か、及び２Ｇ/３Ｇの同一ルーティング・エリアである場合、ＵＥが最後に該ルーティング・エリアにアクセス（アイドル状態のＵＥが最後にＳＧＳＮとインタラクションを行い、及び/又は接続状態のＵＥが現在ＳＧＳＮとインタラクションを行う）する場合２Ｇを利用して接続されたのかそれとも３Ｇを介して接続されたのかである。または、ＳＧＳＮが、ＵＥが現在登録しているルーティング・エリアが２Ｇ/３Ｇの同一ルーティング・エリアである場合のみ、該エリアが２Ｇ/３Ｇの同一ルーティング・エリアであることを指示し、ＵＥが最後に該ルーティング・エリアにアクセスする際２Ｇを介してアクセスしたかそれとも３Ｇを介してアクセスしたかを提供する。
【００７６】
実施する際、着信側端末及び/又は着信側端末がアクセスしたネットワークの情報は上記情報の一部又は全部の各種組み合わせであることができる。
【００７７】
ＭＭＥ/ＳＧＳＮ（ＭＭＥ及び/又はＳＧＳＮ）は上記情報をＨＳＳに送信することができ、上記情報を組み合わせた後ＨＳＳに送信することもできる。ＨＳＳはＭＭＥ/ＳＧＳＮ（ＭＭＥ及び/又はＳＧＳＮ）から受信した上記情報を直接ＡＳに送信してもよく、組み合わせた後ＡＳに送信してもよいが、その中、ＨＳＳが組み合わせた後ＡＳに送信することは、ＨＳＳがＭＭＥとＳＧＳＮから上記情報を受信した後分析・比較し、ＵＥが最後にアクセス及び/又は更新したＭＭＥ又はＳＧＳＮが送信した上記情報又は上記情報の各種組み合わせのみをＡＳに送信することである。
【００７８】
この場合、ステップＳ５０８が、ＡＳが、端末はＭＭＥにて接続状態であって、端末が現在アクセスしているネットワーク領域はＩＭＳ  ＶＯＩＰを支援することを把握した場合、ＡＳは端末が現在アクセスしているドメインを選択して着信呼し、又は、ＡＳが、端末はＳＧＳＮにて接続状態であって、端末が現在アクセスしているネットワーク領域とＲＡＴはＩＭＳ  ＶＯＩＰを支援することを把握した場合、ＡＳは端末が現在アクセスしているドメインを選択して着信呼するステップを含む。従って、ＨＳＳを介してＭＭＥ/ＳＧＳＮから上記情報を取得した場合、ＡＳは上記情報に基づいて、まず、ＵＥが現在アクセスしているドメインを選択して着信呼することによって、ドメイン選択の正確性を向上させ、関連技術に比べ、ドメイン選択の盲目性を低下させ、着信呼時の速度を加速化することができる。
【００７９】
ステップＳ５０８は、ＡＳが、端末は現在アイドル状態であって、ＩＳＲがアクティブ化され、端末が現在登録している進化したパケットドメインシステムＥＰＳのネットワーク領域はＩＭＳ  ＶＯＩＰを支援するが２Ｇ/３Ｇネットワーク領域はＩＭＳ  ＶＯＩＰを支援しないことを把握した場合、ＡＳはＰＳ接続方式と２Ｇ/３Ｇの回線交換ＣＳ方式を介して着信呼するステップを更に含む。従って、ＡＳが上記方式を介して上記情報を取得した場合、ＡＳはＰＳ接続方式による着信呼と２Ｇ/３ＧのＣＳ方式による着信呼を並行して行うことができるので、異なるドメインを順に選択するプロセスを並行して実行する方式に変更することによって、着信呼時の速度を加速化することができる。
【００８０】
ステップＳ５０８は、さらに、ＡＳが、ＩＳＲはアクティブにされず、着信側端末が最後に登録したネットワーク領域はトラッキング・エリアであって、該トラッキング・エリアはＩＭＳ  ＶＯＩＰを支援することを把握した場合、ＡＳはＥＰＳを介してルーティングし、又は、
ＡＳが、ＩＳＲはアクティブにされず、着信側端末が最後に登録したネットワーク領域はトラッキング・エリアであって、該トラッキング・エリアはＩＭＳ  ＶＯＩＰを支援しないことを把握した場合、ＡＳはＥＰＳ又は２Ｇ/３ＧのＣＳドメインを介し、又はＥＰＳと２Ｇ/３ＧのＣＳドメインとを介して同時にルーティングし、又は、
ＡＳが、ＩＳＲはアクティブにされず、着信側端末が最後に登録したネットワーク領域はルーティング・エリアであって、該ルーティング・エリアは２Ｇ/３Ｇの同一ルーティング・エリアではなく、該ルーティング・エリアはＩＭＳ  ＶＯＩＰを支援することを把握した場合、ＡＳは２Ｇ/３ＧのＰＳドメインを介してルーティングし、又は、
ＡＳが、ＩＳＲはアクティブにされず、着信側端末が最後に登録したネットワーク領域はルーティング・エリアであって、該ルーティング・エリアは２Ｇ/３Ｇの同一ルーティング・エリアではなく、該ルーティング・エリアはＩＭＳ  ＶＯＩＰを支援しないことを把握した場合、ＡＳは２Ｇ/３ＧのＣＳドメインを介してルーティングし、又は、
ＡＳが、ＩＳＲはアクティブにされず、着信側端末が最後に登録したネットワーク領域はルーティング・エリアであって、該ルーティング・エリアは２Ｇ/３Ｇの同一ルーティング・エリアであって、該ルーティング・エリアはＩＭＳ  ＶＯＩＰを支援することを把握した場合、ＡＳは２Ｇ/３ＧのＰＳドメイン、又は２Ｇ/３ＧのＣＳドメインを介し、又は２Ｇ/３ＧのＰＳドメインとＣＳドメインとを介して同時にルーティングし、又は、
ＡＳが、ＩＳＲはアクティブにされず、着信側端末が最後に登録したネットワーク領域はルーティング・エリアであって、該ルーティング・エリアは２Ｇ/３Ｇの同一ルーティング・エリアであって、該ルーティング・エリアはＩＭＳ  ＶＯＩＰを支援しないことを把握した場合、ＡＳは２Ｇ/３ＧのＣＳドメインを介してルーティングし、又は、
ＡＳが、ＩＳＲはアクティブにされ、着信側端末が現在登録しているネットワーク領域はいずれもＩＭＳ  ＶＯＩＰを支援し、着信側端末が現在登録しているルーティング・エリアは２Ｇ/３Ｇの同一ルーティング・エリアではないことを把握した場合、ＡＳはＰＳドメインを介してルーティングし、又は、
ＡＳが、ＩＳＲはアクティブにされ、着信側端末が現在登録しているネットワーク領域はいずれもＩＭＳ  ＶＯＩＰを支援し、着信側端末が現在登録しているルーティング・エリアは２Ｇ/３Ｇの同一ルーティング・エリアであることを把握した場合、ＡＳはＰＳドメインを介し、又はＰＳドメインとＣＳドメインとを介して同時にルーティングし、又は、
ＡＳが、ＩＳＲはアクティブにされ、着信側端末が現在登録しているネットワーク領域はいずれもＩＭＳ  ＶＯＩＰを支援し、着信側端末が現在登録しているルーティング・エリアは２Ｇ/３Ｇの同一ルーティング・エリアであることを把握した場合、ＡＳは着信側端末の状態情報に基づいて、さらに判定するが、着信側端末がＭＭＥにて接続状態である場合、ＡＳはＰＳドメインを選択してルーティングし、着信側端末がＳＧＳＮにて接続状態であって、現在利用しているＲＡＴが２Ｇである場合、ＡＳはＣＳドメインを選択してルーティングし、着信側端末がＳＧＳＮにて接続状態であって、現在利用しているＲＡＴが３Ｇである場合、ＡＳはＰＳドメインを選択してルーティングし、着信側端末がアイドル状態である場合、ＡＳはＰＳドメイン又はＰＳドメインとＣＳドメインとを選択して同時にルーティングし、又は、
ＡＳが、ＩＳＲはアクティブにされ、着信側端末が現在登録しているネットワーク領域はいずれもＩＭＳ  ＶＯＩＰを支援していないことを把握した場合、ＡＳは２Ｇ/３ＧのＣＳドメインを介してルーティングし、又は、
ＡＳが、ＩＳＲはアクティブにされ、着信側端末が現在登録しているトラッキング・エリアはＩＭＳ  ＶＯＩＰを支援し、着信側端末が現在登録しているルーティング・エリアはＩＭＳ  ＶＯＩＰを支援せず、着信側端末が現在アイドル状態であることを把握した場合、ＡＳはＰＳドメイン又はＣＳドメインを介し、又はＰＳとＣＳドメインとを介して同時にルーティングし、又は、
ＡＳが、ＩＳＲはアクティブにされ、着信側端末が現在登録しているトラッキング・エリアはＩＭＳ  ＶＯＩＰを支援し、着信側端末が現在登録しているルーティング・エリアはＩＭＳ  ＶＯＩＰを支援せず、着信側端末が現在ＭＭＥにて接続状態であることを把握した場合、ＡＳはＰＳドメインを介してルーティングし、又は、
ＡＳが、ＩＳＲはアクティブにされ、着信側端末が現在登録しているトラッキング・エリアはＩＭＳ  ＶＯＩＰを支援し、着信側端末が現在登録しているルーティング・エリアはＩＭＳ  ＶＯＩＰを支援せず、着信側端末が現在ＳＧＳＮにて接続状態であることを把握した場合、ＡＳは２Ｇ/３ＧのＣＳドメインを介してルーティングし、又は、
ＡＳが、ＩＳＲはアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアではなく、着信側端末が現在アイドル状態であることを把握した場合、ＡＳはＰＳドメイン又はＣＳドメインを介し、又はＰＳドメインとＣＳドメインとを介して同時にルーティングし、又は、
ＡＳが、ＩＳＲはアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアではなく、着信側端末が現在ＭＭＥにて接続状態であることを把握した場合、ＡＳはＰＳドメインを介し、又はＰＳドメインとＣＳドメインとを介して同時にルーティングし、又は、
ＡＳが、ＩＳＲはアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアではなく、着信側端末が現在ＳＧＳＮにて接続状態であることを把握した場合、ＡＳはＰＳドメインを介してルーティングし、又は、
ＡＳが、ＩＳＲはアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアであって、着信側端末が現在アイドル状態であることを把握した場合、ＡＳはＰＳドメイン又はＣＳドメインを介し、又はＰＳドメインとＣＳドメインとを介して同時にルーティングし、又は、
ＡＳが、ＩＳＲはアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアであって、着信側端末が現在ＭＭＥにて接続状態であることを把握した場合、ＡＳはＰＳドメインを介し、又はＰＳドメインとＣＳドメインとを介して同時にルーティングし、又は、
ＡＳが、ＩＳＲはアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアであって、着信側端末が現在ＳＧＳＮにて接続状態であって、着信側端末が現在３Ｇを利用してアクセスしていることを把握した場合、ＡＳはＰＳドメインを介してルーティングし、又は、
ＡＳが、ＩＳＲはアクティブにされ、着信側端末が現在登録しているトラッキング・エリアはＩＭＳ  ＶＯＩＰを支援せず、着信側端末が現在登録しているルーティング・エリアはＩＭＳ  ＶＯＩＰを支援し、着信側端末が現在登録しているルーティング・エリアは２Ｇ/３Ｇの同一ルーティング・エリアであって、着信側端末が現在ＳＧＳＮにて接続状態であって、着信側端末が現在２Ｇを利用してアクセスしていることを把握した場合、ＡＳはＣＳドメインを介し、又はＣＳドメインとＰＳドメインとを介して同時にルーティングすることを含む。
【００８１】
上記の好適な実施例によると、ＡＳが着信側端末及び/又は着信側端末がアクセスしたネットワークの情報に基づいて着信呼する際のドメイン選択を行う具体的な実施形態が提供される。
【００８２】
上記方法において、端末が一つのルーティング・エリアから他のルーティング・エリアに移動し、ＳＧＳＮにルーティング・エリア更新メッセージを送信してルーティング・エリアの更新を行う場合、ＳＧＳＮが受信したルーティング・エリア更新メッセージに基づいて端末の位置情報を更新し、端末にルーティング・エリア更新受け入れメッセージを送信するステップを更に含むことが好ましい。
【００８３】
上記の好適な実施例によると、端末があるＳＧＳＮにて登録した後、ＵＥが該ＳＧＳＮに管理されるネットワーク領域において、ルーティング・エリアの変更によってＳＧＳＮに位置更新を行う具体的な実施形態を提供する。この場合、ＳＧＳＮはＵＥが現在アクセスしているネットワーク領域のＩＭＳ  ＶＯＩＰ能力が変更されたか否かを判定する必要がない。また、変更されたと判定された場合には、ＨＳＳに報知する。
【００８４】
上記方法において、端末が進化したパケットドメインシステムＥＰＳネットワークにおける既に登録したトラッキング・エリアリストに含まれていないトラッキング・エリアに移動し、ＭＭＥにトラッキング・エリア更新メッセージを送信してトラッキングエリアの更新を行う場合、ＭＭＥは受信したトラッキング・エリア更新メッセージに基づいて端末の位置情報を更新して端末にトラッキング・エリア更新受け入れメッセージを送信するステップを更に含むことが好ましい。
【００８５】
ＭＭＥとＳＧＳＮは独立したネットワークコンポーネントであるか、組み合わせのコンボノードであることができる。その中、上記コンボノードは組み合わせのＭＭＥ/ＳＧＳＮであることが好ましい。
【００８６】
コンボノードがＨＳＳの問い合せ要求メッセージを受信し、ＵＥが現在該コンボノードにおいて同時にトラッキング・エリアＴＡとルーティング・エリアＲＡの登録を行っている場合、コンボノードは一つの応答メッセージを介してＨＳＳに着信側端末及び/又は着信側端末がアクセスしたネットワークの情報を返信する。
【００８７】
上記好適な実施例によると、ＵＥがあるＭＭＥにすでに登録し、ＵＥが該ＭＭＥにより管理されるネットワーク領域においてトラッキング・エリアの変更によってＭＭＥに更新を行う具体的な実施形態が提供される。この時、ＭＭＥはＵＥが現在アクセスしているネットワーク領域のＩＭＳ  ＶＯＩＰ能力が変更されたかを判定する必要がない。また、変更されたと判定された場合、ＨＳＳに報知する。
【００８８】
関連技術に比べ、本発明の方法によると、ＭＭＥ/ＳＧＳＮがＨＳＳとインタラクションを行って位置更新を行った後、ＵＥがアクセスしているネットワーク領域のＩＭＳ  ＶＯＩＰ能力が変更された場合、ＨＳＳに対応するメッセージを送信するように要求しないため、ＰＳドメイン移動性管理ネットワークコンポーネントとＨＳＳとの間のシグナリング量を大幅に減少することができ、ネットワークの配置におけるＨＳＳによるシグナリング負荷に対する様々な制限をなくし、ネットワークの配置が便利となり、サービスの実現を保証することができる。
【００８９】
［好適な実施例１]
図６は、本発明の好適な実施例１に係る着信呼時ドメイン選択方法を示すフローチャートである。
【００９０】
図６に示すように、以下のステップを含む。
【００９１】
ＵＥがＳＧＳＮにてブートし、又はＳＩＭカードを挿入して接続（attach）し、又はＵＥがＳＧＳＮにカバーされたエリアに移動してルーティング・エリア更新を行うと仮定する。
【００９２】
ステップ６Ａ１〜ステップ６Ａ６はＵＥが２Ｇ/３Ｇネットワークにおいて接続/更新を行うプロセスである。
【００９３】
ＵＥは２Ｇ/３Ｇネットワークにおいて接続/ルーティング・エリア更新を行う（ステップ６Ａ１）。
【００９４】
ＳＧＳＮにユーザコンテキストが含まれていないため、ＳＧＳＮはＨＳＳに位置更新メッセージを送信する（ステップ６Ａ２）。
【００９５】
ＨＳＳはＳＧＳＮとインタラクションを行い、位置更新応答及びユーザデータ挿入プロセスを行う（ステップ６Ａ３）。
【００９６】
ＳＧＳＮはＵＥに接続/ルーティング・エリア更新受け入れメッセージを送信し、接続/更新プロセスを完成する（ステップ６Ａ４）。
【００９７】
ＵＥが新しいルーティング・エリアに移動する。
【００９８】
ＵＥがルーティング・エリア更新プロセスを実行し、ＳＧＳＮにルーティング・エリア更新メッセージを送信する（ステップ６Ａ５）。
【００９９】
ＳＧＳＮはルーティング・エリア更新メッセージを受信して対応する位置情報を更新し、ＵＥにルーティング・エリア更新受け入れメッセージを送信する（ステップ６Ａ６）。
【０１００】
ステップ６Ｂ１〜ステップ６Ｂ７はＵＥがＥＰＳネットワークにおいて更新を行うプロセスである。
【０１０１】
ＵＥはＥＰＳネットワークに移動してアクセスする。
【０１０２】
ＵＥはトラッキング・エリア更新プロセスを開始し、ＵＥはＭＭＥにトラッキング・エリア更新メッセージを送信する（ステップ６Ｂ１）。
【０１０３】
ＭＭＥはＵＥが送信したメッセージに含まれた情報に基づいて、ＵＥが先に登録していたＳＧＳＮを探し出し、ＳＧＳＮからＵＥコンテキストを取得する（ステップ６Ｂ２）。該ステップにおいて、ＭＭＥはＩＳＲ機能をアクティブにし、ＳＧＳＮとＭＭＥとの間にＩＳＲ関係を確立することができる。
【０１０４】
ＭＭＥにユーザコンテキストが含まれていないので、ＭＭＥはＨＳＳに位置更新メッセージを送信する（ステップ６Ｂ３）。
【０１０５】
ＨＳＳはＭＭＥとの間でユーザデータの挿入及び位置更新応答プロセスを行う（ステップ６Ｂ４）。
【０１０６】
ＭＭＥはＵＥにトラッキング・エリア更新受け入れメッセージを送信する（ステップ６Ｂ５）。
【０１０７】
ＵＥは既に登録したトラッキング・エリアリストに含まれていないトラッキング・エリアに移動するが、該トラッキング・エリアは更新されていないので、ＵＥはトラッキング・エリアの更新を開始する。
【０１０８】
ＵＥはＭＭＥにトラッキング・エリア更新メッセージを送信する（ステップ６Ｂ６）。
【０１０９】
ＭＭＥはＵＥの現在位置情報を更新し、ＵＥにトラッキング・エリア更新受け入れメッセージを送信する（ステップ６Ｂ７）。
【０１１０】
その後、ＵＥはネットワークにおいて移動し、ブートなどを行って、上述に類似する接続/更新プロセスを行うが、当業者であれば容易に行うことができるので、説明を省略し、ただ、ＣＳＣＦ/ＡＳが該ＵＥの呼び出しを必要とする要求を受信すると、ドメイン選択を行わなければならない。以下のステップ６Ｃ１〜ステップ６Ｃ５は本発明の方法に係る着信呼時ＣＳＣＦ/ＡＳが着信要求を受信してドメイン選択を行うプロセスである。
【０１１１】
ＣＳＣＦ/ＡＳがＵＥの呼び出しを必要とする要求を受信する（ステップ６Ｃ１）。
【０１１２】
ＡＳはＨＳＳに問い合せ要求メッセージを送信してＵＥが既に登録したネットワーク領域のＩＭＳ  ＶＯＩＰ能力などの情報を調べる（ステップ６Ｃ２）。
【０１１３】
ステップ６Ｃ３-１とステップ６Ｃ３-２は並行して行うことができると共に、順に行うこともできる。ＨＳＳはＭＭＥとＳＧＳＮともに問い合せメッセージを送信することができ、ＭＭＥ又はＳＧＳＮの中のいずれかに問い合せメッセージを送信することもできる。
【０１１４】
ＨＳＳはその中に記録されているＭＭＥ情報に基づいて、ＭＭＥに問い合せ要求メッセージを送信し、ＭＭＥは要求を受信した後、ＨＳＳにＵＥが現在登録しているネットワーク領域のＩＭＳ  ＶＯＩＰ能力などの情報を送信する（ステップ６Ｃ３-１）。
【０１１５】
ＨＳＳはその中に記録されているＳＧＳＮ情報に基づいて、ＳＧＳＮに問い合せ要求メッセージを送信し、ＳＧＳＮは要求を受信した後、ＨＳＳにＵＥが現在登録しているネットワーク領域のＩＭＳ  ＶＯＩＰ能力などの情報を送信する（ステップ６Ｃ３-２）。
【０１１６】
ＨＳＳはＡＳの要求に応じ、上記のＭＭＥ/ＳＧＳＮから取得した情報をＡＳにフィードバックする（ステップ６Ｃ４）。
【０１１７】
ＡＳはＨＳＳにより提供された情報に基づいて着信呼時のドメイン選択を行う（ステップ６Ｃ５）。
【０１１８】
ここで、本発明に係る方法を図６に示すＭＭＥとＳＧＳＮとが独立したネットワークコンポーネントである場合に適用できると共に、コンボノードの場合にも適用できる。
【０１１９】
［好適な実施例２］
図７は、本発明の方法の好適な実施例２に係るｃｏｍｂｉｎｅｄ  ＭＭＥ/ＳＧＳＮにて着信呼時ドメイン選択を行う方法を示すフローチャートである。具体的には、ＵＥが２Ｇ/３ＧとＥＰＳネットワークにおいていずれも同一の組み合わせＭＭＥ/ＳＧＳＮにアクセスした状況である。図７に示すように、以下のステップを含む。
【０１２０】
ＵＥが該組み合わせのＭＭＥ/ＳＧＳＮにて２Ｇ/３Ｇネットワークにおいてブートし又はＳＩＭカードを挿入して接続（attach）し、又はＵＥが該組み合わせのＭＭＥ/ＳＧＳＮにカバーされたエリアに移動してルーティング・エリア更新を行うと仮定する。
【０１２１】
ステップ７Ａ１〜ステップ７Ａ６はＵＥが２Ｇ/３Ｇネットワークにおいて接続/更新を行うプロセスである。
【０１２２】
ＵＥが２Ｇ/３Ｇネットワークにおいて接続/ルーティング・エリア更新を行う（ステップ７Ａ１）。
【０１２３】
組み合わせのＭＭＥ/ＳＧＳＮにユーザコンテキストが含まれていないので、コンボノードのＳＧＳＮはＨＳＳに位置更新メッセージを送信し（ステップ７Ａ２）、該メッセージによって該ノードがコンボノードであることを指示する。
【０１２４】
ＨＳＳは組み合わせのＭＭＥ/ＳＧＳＮとインタラクションを行い、位置更新応答及びユーザデータ挿入プロセスを実行する（ステップ７Ａ３）。
【０１２５】
組み合わせのＭＭＥ/ＳＧＳＮはＵＥに接続/ルーティング・エリア更新受け入れメッセージを送信して接続/更新プロセスを完成する（ステップ７Ａ４）。
【０１２６】
ＵＥが新しいルーティングエリアに移動する。
【０１２７】
ＵＥはルーティング・エリア更新プロセスを行って、組み合わせのＭＭＥ/ＳＧＳＮにルーティング・エリア更新メッセージを送信する（ステップ７Ａ５）。
【０１２８】
組み合わせのＭＭＥ/ＳＧＳＮはルーティング・エリア更新メッセージを受信して対応する位置更新プロセスを行って、ＵＥにルーティング・エリア更新受け入れメッセージを送信する（ステップ７Ａ６）。
【０１２９】
ステップ７Ｂ１〜ステップ７Ｂ４はＵＥがＥＰＳネットワークにおいて更新を行うプロセスである。
【０１３０】
ＵＥがＥＰＳネットワークに移動してアクセスし、現在位置するトラッキング・エリアが上記にて既にルーティング・エリアの更新を行った組み合わせのＭＭＥ/ＳＧＳＮの管理範囲内に位置すると仮定する。
【０１３１】
ＵＥがトラッキング・エリア更新プロセスを開始する（ステップ７Ｂ１）。ＵＥが送信したトラッキング・エリア更新要求メッセージは関連技術に従って、該組み合わせのＭＭＥ/ＳＧＳＮにルーティングされる。
【０１３２】
組み合わせのＭＭＥ/ＳＧＳＮはＵＥが送信したトラッキング・エリア更新要求メッセージを受信した後対応する処理を行うが（ステップ７Ｂ２）、該ステップにおいて、ＩＳＲがアクティブにされることができる。組み合わせのＭＭＥ/ＳＧＳＮはＵＥにトラッキング・エリア更新受け入れメッセージを送信する。該組み合わせのＭＭＥ/ＳＧＳＮが既にＨＳＳと位置更新及びユーザデータ挿入プロセスを行っているので、組み合わせのＭＭＥ/ＳＧＳＮはＨＳＳとインタラクションを行わない。
【０１３３】
ＵＥが既に登録したトラッキング・エリアリストに含まれていないトラッキング・エリアに移動すると、該トラッキング・エリアが更新されていないので、ＵＥはトラッキング・エリアの更新を開始し、該トラッキング・エリアが依然として該組み合わせのＭＭＥ/ＳＧＳＮの管理範囲内に位置すると、そのプロセスはステップ７Ｂ３〜ステップ７Ｂ４のとおりであり、上記のステップ７Ｂ１〜ステップ７Ｂ２の過程と同一であるため、説明を省略する。
【０１３４】
その後、ＵＥはネットワークにおいて移動し、ブート等を行って、上述に類似する接続/更新プロセスを行うが、当業者であれば容易に行えることであるので、説明を省略する。ただ、ＣＳＣＦ/ＡＳが該ＵＥの呼び出しを必要とする要求を受信すると、ドメイン選択を行わなければならない。以下の７Ｃ１〜７Ｃ５は本発明の方法に係る着信呼時ＣＳＣＦ/ＡＳが着信要求を受信した場合ドメイン選択を行うプロセスである。
【０１３５】
ＣＳＣＦ/ＡＳが上記ＵＥの呼び出しを必要とする要求を受信する（ステップ７Ｃ１）。
【０１３６】
ＡＳはＨＳＳに問い合せ要求メッセージを送信し、該ＵＥが既に登録したネットワーク領域のＩＭＳ  ＶＯＩＰ能力などの情報を調べる（ステップ７Ｃ２）。
【０１３７】
ＨＳＳはその中に記録された情報に基づいて、組み合わせのＭＭＥ/ＳＧＳＮ情報を取得し、ＨＳＳは該組み合わせのＭＭＥ/ＳＧＳＮに問い合せ要求メッセージを送信し、組み合わせのＭＭＥ/ＳＧＳＮは問い合せ要求を受信した後、ＨＳＳにＵＥが現在登録しているネットワーク領域のＩＭＳ  ＶＯＩＰ能力を送信し、また、組み合わせのＭＭＥ/ＳＧＳＮはＩＳＲがアクティブにされたか、該ＵＥが現在接続状態であるか否かの状態情報などの着信側端末及び/又は着信側端末がアクセスしたネットワークの情報をＨＳＳにフィードバックすることもできる（ステップ７Ｃ３）。該ステップは以下のような二つの状況に分けることができる。
【０１３８】
１）ＵＥが該組み合わせのＭＭＥ/ＳＧＳＮにおいて、トラッキング・エリアの更新を行っていないと、即ち、ステップ７Ｂ１〜ステップ７Ｂ４を行っていないと、コンボノードはＵＥが現在登録しているＲＡエリアのＩＭＳ  ＶＯＩＰ能力のみを送信し、さらに、コンボノードはＵＥが接続状態であるか否かの情報をＨＳＳにフィードバックすることもでき、また、アイドル状態のＵＥが最後にコンボノード中のＳＧＳＮとインタラクションの際利用したＲＡＴ又は接続状態であるＵＥが現在利用しているＲＡＴ情報をＨＳＳに報知することができる。
【０１３９】
２）ＵＥが該組み合わせのＭＭＥ/ＳＧＳＮにおいてトラッキング・エリアの更新を行っていると、即ち、該ＵＥが現在組み合わせのＭＭＥ/ＳＧＳＮにおいてすでにルーティング・エリア更新とトラッキング・エリア更新を行っていると、コンボノードはＵＥが現在登録しているルーティング・エリアとトラッキング・エリアのＩＭＳ  ＶＯＩＰ能力を返信し、さらに、コンボノードはＵＥの２Ｇ/３ＧネットワークとＥＰＳにおける登録時間と、ＵＥが最後にＭＭＥ、ＳＧＳＮと交換した時間と、ＵＥが現在２Ｇ/３ＧネットワークとＥＰＳネットワークにおいて接続状態であるか否かの情報をＨＳＳにフィードバックすることができ、アイドル状態であるＵＥが最後にコンボノード中のＳＧＳＮとインタラクションの際に利用したＲＡＴ又は接続状態であるＵＥが現在利用しているＲＡＴ情報をＨＳＳに報知することもできる。
【０１４０】
ＨＳＳはＡＳの要求に応じ、上記組み合わせのＭＭＥ/ＳＧＳＮから取得した情報をＡＳにフィードバックする（ステップ７Ｃ４）。
【０１４１】
ＡＳはＨＳＳにより提供された情報に基づいて着信呼時ドメイン選択を行う（ステップ７Ｃ５）。
【０１４２】
［好適な実施例３］
図８は、本発明の方法の好適な実施例３に係る組み合わせのＭＭＥ/ＳＧＳＮにて着信呼時ドメイン選択を行う方法を示すフローチャートである。具体的には、ＵＥがまず２Ｇ/３ＧとＥＰＳネットワークにおいて同一の組み合わせのＭＭＥ/ＳＧＳＮにアクセスし、その後、ＥＰＳネットワークにおいて他のＭＭＥ又は組み合わせのＭＭＥ/ＳＧＳＮに移動してアクセスする。図８に示すように、以下のステップを含む。
【０１４３】
ＵＥが組み合わせのＭＭＥ/ＳＧＳＮでの２Ｇ/３Ｇネットワークにおいてブートし、又はＳＩＭカードを挿入して接続（attach）し、又はＵＥが組み合わせのＭＭＥ/ＳＧＳＮにカバーされたエリアに移動してルーティング・エリアの更新を行うと仮定する。
【０１４４】
ステップ８Ａ１〜ステップ８Ａ６はＵＥが２Ｇ/３Ｇネットワークにおいて接続/更新を行うプロセスである。
【０１４５】
ＵＥが２Ｇ/３Ｇネットワークにおいて接続/ルーティング・エリア更新を行う（ステップ８Ａ１）。
【０１４６】
組み合わせのＭＭＥ/ＳＧＳＮにユーザコンテキストが含まれていないので、組み合わせのＭＭＥ/ＳＧＳＮはＨＳＳに位置更新メッセージを送信し、該メッセージにおいて該ノードがコンボノードであると指示する（ステップ８Ａ２）。
【０１４７】
ＨＳＳは組み合わせのＭＭＥ/ＳＧＳＮとインタラクションを行い、位置更新応答及びユーザデータ挿入プロセスを行う（ステップ８Ａ３）。
【０１４８】
組み合わせのＭＭＥ/ＳＧＳＮはＵＥに接続/ルーティング・エリア更新受け入れメッセージを送信して接続/更新プロセスを完成する（ステップ８Ａ４）。
【０１４９】
ＵＥが新しいルーティング・エリアに移動する。
【０１５０】
ＵＥはルーティング・エリア更新プロセスを行い、組み合わせのＭＭＥ/ＳＧＳＮにルーティング・エリア更新メッセージを送信する（ステップ８Ａ５）。
【０１５１】
組み合わせのＭＭＥ/ＳＧＳＮはルーティング・エリア更新メッセージを受信した後、対応する位置更新プロセスを行い、ＵＥにルーティング・エリア更新受け入れメッセージを送信する（ステップ８Ａ６）。
【０１５２】
ステップ８Ｂ１〜ステップ８Ｂ７はＵＥがＥＰＳネットワークにおいて更新を行うプロセスである。
【０１５３】
ＵＥがＥＰＳネットワークに移動しアクセスし、現在位置したトラッキング・エリアが上記の既にルーティング・エリアの更新を行った組み合わせのＭＭＥ/ＳＧＳＮの管理範囲内に位置すると仮定する。
【０１５４】
ＵＥはトラッキング・エリア更新プロセスを開始する（ステップ８Ｂ１）。ＵＥが送信したトラッキング・エリア更新要求メッセージは関連技術に従って該組み合わせのＭＭＥ/ＳＧＳＮにルーティングされる。
【０１５５】
組み合わせのＭＭＥ/ＳＧＳＮはＵＥが送信したトラッキング・エリア更新要求メッセージを受信した後、対応する処理を行い（ステップ８Ｂ２）、該ステップにおいて、ＩＳＲはアクティブにされることができる。組み合わせのＭＭＥ/ＳＧＳＮはＵＥにトラッキング・エリア更新受け入れメッセージを送信する。該組み合わせのＭＭＥ/ＳＧＳＮが既にＨＳＳと位置更新及びユーザデータ挿入プロセスを行っているので、組み合わせのＭＭＥ/ＳＧＳＮはＨＳＳとインタラクションを行わない。
【０１５６】
ＵＥは既に登録したトラッキング・エリアリストに含まれていないトラッキング・エリアに移動し、該トラッキング・エリアは更新されていないので、ＵＥはトラッキング・エリア更新を開始し、該トラッキング・エリアが上記組み合わせのＭＭＥ/ＳＧＳＮの管理範囲内に位置せず、他の新しいＭＭＥ又は組み合わせのＭＭＥ/ＳＧＳＮの管理範囲内に位置する。該プロセスは８Ｂ３〜８Ｂ７と同一である。
【０１５７】
ＵＥはトラッキング・エリア更新プロセスを開始し、ＭＭＥ又は新しい組み合わせのＭＭＥ/ＳＧＳＮにトラッキング・エリア更新メッセージを送信する（ステップ８Ｂ３）。
【０１５８】
ＭＭＥ又は新しい組み合わせのＭＭＥ/ＳＧＳＮにおいて、ＵＥが送信したメッセージに含まれた情報に基づいて、ＵＥが先に登録していた組み合わせのＭＭＥ/ＳＧＳＮを探し出し、該組み合わせのＭＭＥ/ＳＧＳＮからＵＥコンテキストを取得する（ステップ８Ｂ４）。
【０１５９】
ＭＭＥ又は新しい組み合わせのＭＭＥ/ＳＧＳＮにユーザコンテキストが含まれていないので、ＭＭＥ又は新しい組み合わせのＭＭＥ/ＳＧＳＮはＨＳＳに位置更新メッセージを送信する（ステップ８Ｂ５）。
【０１６０】
ＨＳＳはＭＭＥ又は新しい組み合わせのＭＭＥ/ＳＧＳＮとの間でユーザデータの挿入及び位置更新応答プロセスを行う（ステップ８Ｂ６）。
【０１６１】
ＭＭＥ又は新しい組み合わせのＭＭＥ/ＳＧＳＮはＵＥにトラッキング・エリア更新受け入れメッセージを送信する（ステップ８Ｂ７）。
【０１６２】
その後、ＵＥはネットワークにおいて移動し、ブート等を行って、上述に類似する接続/更新プロセスを行うが、当業者であれば容易に行えることであるので、説明を省略する。ただ、ＣＳＣＦ/ＡＳが該ＵＥの呼び出しを必要とする要求を受信した場合、ドメイン選択を行わなければならない。以下のステップ８Ｃ１〜ステップ８Ｃ５は本発明の方法に係る着信呼時ＣＳＣＦ/ＡＳが着信要求を受信してドメイン選択を行うプロセスであり、図６に示すステップ６Ｃ１〜ステップ６Ｃ５に類似するので説明を省略する。
【０１６３】
上記の好適な実施例において、ＵＥがまず２Ｇ/３ＧネットワークにおいてＳＧＳＮに接続/更新した後、ＥＰＳネットワークに移動してＭＭＥに更新する場合を例にして本発明の方法及びプロセスを説明した。ＵＥがまずＥＰＳネットワークにおいてＭＭＥに接続/更新した後、２Ｇ/３Ｇネットワークに移動してＳＧＳＮにおいて更新する方法及びプロセスは上述したものと類似するため、説明を省略する。
【０１６４】
上記の実施例において、着信呼時ドメイン選択を行う場合、ＡＳとＨＳＳは問い合せプロセスを開始する。本発明に係る方法を以下のような形態に変化することができる。
【０１６５】
ＡＳが該ＵＥの上記問い合せした情報を保存し、一定時間内において（例えば１０分内等）問い合せせず、その中に保存された情報に基づいて着信呼時のドメイン選択を行うことができ、又は、ＡＳが最近の何回のＵＥのドメイン選択の結果に基づいて確定することもできる。
【０１６６】
ＨＳＳに関連情報を保存し、一定時間内においてＭＭＥ及び/又はＳＧＳＮに問い合せしないことができる。
【０１６７】
ＭＭＥ/ＳＧＳＮ及び組み合わせのＭＭＥ/ＳＧＳＮはＨＳＳに送信する位置更新要求メッセージに着信側端末及び/又は着信側端末がアクセスしたネットワークの情報を含んでＨＳＳに送信し、ＨＳＳは該情報を保存して一定時間内において問い合せしないことができる。
【０１６８】
図９は、本発明の実施例に係る着信呼時ドメイン選択システムを示す図である。図９に示すように、受信した呼び出し要求メッセージに基づいてホーム加入者サーバ(ＨＳＳ）２０に問い合せ要求メッセージを送信し、また、ＨＳＳがフィードバックした情報における着信側端末及び/又は着信側端末がアクセスしたネットワークの情報に基づいて呼び出しメッセージがルーティングされるドメインを選択するアプリケーションサーバ(ＡＳ)１０と、問い合せ要求メッセージに基づいてＰＳドメイン移動性管理ネットワークコンポーネント３０に問い合せして呼び出し要求メッセージ中の着信側端末及び/又は着信側端末がアクセスしたネットワークの情報を取得し、また、取得した着信側端末及び/又は着信側端末がアクセスしたネットワークの情報をＡＳにフィードバックするホーム加入者サーバ（ＨＳＳ）２０と、ＰＳドメイン移動性管理ネットワークコンポーネント３０と、を含む。
【０１６９】
上記実施例によると、着信呼時、ＡＳが呼び出し要求を受信してドメイン選択を行う場合、ＨＳＳがＡＳの問い合せメッセージを受信した後、ＰＳドメイン移動性管理ネットワークコンポーネントに着信側端末が現在登録しているネットワーク領域のＩＭＳ  ＶＯＩＰ能力を問い合せし、ＰＳドメイン移動性管理ネットワークコンポーネントが既にＨＳＳとインタラクションを行い、位置更新プロセスを行った後、ＵＥが現在アクセスしているネットワーク領域のＩＭＳ  ＶＯＩＰ能力が変更されるたびにＨＳＳに関連情報を送信する必要がなくなり、従って、関連技術におけるＵＥがアクセスしたルーティング・エリアとトラッキング・エリアのＩＭＳ  ＶＯＩＰ能力が変更された場合ＳＧＳＮとＭＭＥが必ずＨＳＳにメッセージを送信しなければならないことによってＳＧＳＮ/ＭＭＥとＨＳＳとの間のシグナリング負荷が増加される問題が解決できる。ユーザが受信する電話が少ないため、上記実施例によると、ＰＳドメイン移動性管理ネットワークコンポーネントとＨＳＳとの間のシグナリング量を大幅に減少することができ、ネットワークの配置におけるＨＳＳによるシグナリング負荷に対する各種制限をなくし、ネットワークの配置が便利となり、サービスの実現が保証される。
【０１７０】
図１０と図１１に示すように、ＥＰＳネットワークにおいて、ＰＳドメイン移動性管理ネットワークコンポーネント３０がＭＭＥ３０１であって、２Ｇ/３Ｇネットワークにおいて、ＰＳドメイン移動性管理ネットワークコンポーネント３０がＳＧＳＮ３０２であることが好ましい。
【０１７１】
上記ＭＭＥとＳＧＳＮが独立したネットワークコンポーネントであるか、または組み合わせのＭＭＥ/ＳＧＳＮであることが好ましい。
【０１７２】
ホーム加入者サーバ２０が、ＡＳから送信された問い合せ要求メッセージを受信する第１の受信ブロック２０１と、ＨＳＳ自身に記録された着信側端末のＭＭＥの情報及び/又はＳＧＳＮの情報に基づいてＭＭＥ及び/又はＳＧＳＮに問い合せ要求メッセージを送信する第１の送信ブロック２０２と、ＨＳＳから送信された問い合せ要求メッセージを受信した場合、ＨＳＳに着信側端末及び/又は着信側端末がアクセスしたネットワークの情報を返信するＭＭＥ３０１と、ＨＳＳから送信された問い合せ要求メッセージを受信した場合、ＨＳＳに着信側端末及び/又は着信側端末がアクセスしたネットワークの情報を返信するＳＧＳＮ３０２と、を含む。
【０１７３】
上記着信側端末がアクセスしたネットワークの情報が着信側端末が現在登録しているネットワーク領域のＩＭＳ  ＶＯＩＰ能力を含み、上記着信側端末の情報が、着信側端末の登録時間と、着信側端末が最後にネットワークとインタラクションを行った時間と、着信側端末が最後の接続の際に利用した無線アクセス技術ＲＡＴと、アイドル状態のシグナリング低減ＩＳＲがアクティブにされたか否か、着信側端末が接続状態であるか否かの状態情報と、上記着信側端末が最後に上記２Ｇ/３Ｇの同一ルーティング・エリアにアクセスする際に利用した無線アクセス技術(ＲＡＴ)中の少なくとも1つを含むことが好ましい。上記着信側端末がアクセスしたネットワークの情報が上記着信側端末が現在登録しているルーティング・エリアの２Ｇ/３Ｇの同一ルーティング・エリアの指示を更に含むことができる。ＵＥがＭＭＥ又はＳＧＳＮにて接続状態であって、該ＵＥが現在アクセスしているネットワーク領域及びＲＡＴがＩＭＳ  ＶＯＩＰを支援する場合、ＡＳはＨＳＳを介してＭＭＥ/ＳＧＳＮから上記情報を取得し、ＡＳは上記情報に基づいて、まず、ＵＥが現在アクセスしているドメインを選択して着信呼を行うことによって、ドメイン選択の正確性が向上され、関連技術に比べドメイン選択時の盲目性を低下し、着信呼の速度を加速化できる。ＵＥが現在アイドル状態であって、ＩＳＲがアクティブにされ、端末が現在登録している進化したパケットドメインシステムＥＰＳネットワーク領域がＩＭＳ  ＶＯＩＰを支援し、２Ｇ/３Ｇネットワーク領域はＩＭＳ  ＶＯＩＰを支援しない場合、ＡＳはＰＳ接続方式と２Ｇ/３Ｇの回線交換ＣＳ方式を介して並行して着信呼を行う。相違するドメインを順にテストするプロセスを、並行して行うことによって、着信呼の速度を向上させることができる。
【０１７４】
端末がルーティング・エリアから他のルーティング・エリアに移動し、ＳＧＳＮにルーティング・エリア更新メッセージを送信してルーティング・エリアの更新を行う場合、図１０に示すように、ＳＧＳＮ３０２が、端末から送信されたルーティング・エリア更新メッセージを受信する第２の受信ブロック３０２１と、ルーティング・エリア更新メッセージに基づいて端末の位置情報を更新する第１の更新ブロック３０２２と、端末にルーティング・エリア更新受け入れメッセージを送信する第２の送信ブロック３０２３と、を含むことが好ましい。
【０１７５】
端末が進化したＥＰＳネットワークにおける既に登録したトラッキング・エリアリストに含まれていないトラッキング・エリアに移動し、ＭＭＥにトラッキング・エリア更新メッセージを送信してトラッキング・エリアの更新を行う場合、図１１に示すように、ＭＭＥ３０１が、端末から送信されたトラッキング・エリア更新メッセージを受信する第３の受信ブロック３０１１と、トラッキング・エリア更新メッセージに基づいて端末の位置情報を更新する第２の更新ブロック３０１２と、端末にトラッキング・エリア更新受け入れメッセージを送信する第３の送信ブロック３０１３と、を含むことが好ましい。
【０１７６】
本発明におけるＨＳＳとＭＭＥ/ＳＧＳＮとの間に追加された問い合せメカニズムは、着信呼時ドメイン選択を行う場合、ＨＳＳがＭＭＥ/ＳＧＳＮからＵＥの位置したネットワーク領域のＩＭＳ  ＶＯＩＰ情報を取得するのに利用できると共に、他のサービスを実行する際ＨＳＳがＭＭＥ/ＳＧＳＮからＵＥに関連情報を問い合せする際にも利用できる。
【０１７７】
上述のように、本発明によると、以下のような技術効果を生むことができる。
【０１７８】
（１）着信呼時ドメイン選択を行う場合、ＨＳＳによってＭＭＥ及び/又はＳＧＳＮに問い合せする方法を利用することによって、ＭＭＥ/ＳＧＳＮとＨＳＳとの間のシグナリングを減少し、ＥＰＳネットワークの配置及び技術の応用に有益である。
【０１７９】
（２）ＭＭＥ及び/又はＳＧＳＮとＨＳＳとの間のシグナリング量を大幅に減少でき、ネットワークの配置におけるＨＳＳによるシグナリング負荷に対する各種の制限をなくし、ネットワークの配置に便利であって、サービスの実現が保証される。
【０１８０】
（３）ドメイン選択の正確性を向上し、関連技術に比べ、ドメイン選択時の盲目性をなくし、着信呼の速度を向上させる。
【０１８１】
（４）相違するドメインを順にテストしなければならないプロセスを並行して行うことによって、着信呼の速度を効率的に向上させる。
【０１８２】
（５）ＨＳＳとＭＭＥ/ＳＧＳＮとの間に追加された問い合せメカニズムは、着信呼時ドメイン選択を行う場合、ＨＳＳがＭＭＥ/ＳＧＳＮからＵＥが位置するネットワーク領域のＩＭＳ  ＶＯＩＰ情報を取得するに利用できると共に、他のサービスを行う場合ＨＳＳがＭＭＥ/ＳＧＳＮからＵＥに関する情報を問い合せするのにも利用できる。
【０１８３】
当業者にとって、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるため、それらを記憶装置に記憶させて計算装置によって実行することができ、又は夫々集積回線ブロックに製作し、又はそれらにおける複数のブロック又はステップを単独の集積回線ブロックに製作して実現することができることは明らかなことである。このように、本発明は如何なる特定のハードウェアとソフトウェアの組み合わせにも限定されない。
【０１８４】
以上は、本発明の好適な実施例に過ぎず、本発明を限定するものではない。当業者であれば本発明に様々な修正や変形が可能である。本発明の主旨や原理内での如何なる修正、置換、改良などは本発明の保護範囲内に含まれる。
【図１】
0005565981.tif 000002
【図２】
0005565981.tif 000003
【図３】
0005565981.tif 000004
【図４】
0005565981.tif 000005
【図５】
0005565981.tif 000006
【図６】
0005565981.tif 000007
【図７】
0005565981.tif 000008
【図８】
0005565981.tif 000009
【図９】
0005565981.tif 000010
【図１０】
0005565981.tif 000011
【図１１】
0005565981.tif 000012